(57)【要約】【課題】凍結槽内のブラインの温度を略一定に精度良く保持して被冷凍物の凍結品質を確保する。【解決手段】凍結処理用ブライン５３内に被冷凍物５０を浸漬させてこれを急速に冷凍させるに際し、固体粒子を含むシャーベット状の２種類の温度の異なる冷却ブライン５１，５２を用意し、これら２種類の冷却ブライン５１，５２を適宜量ずつ凍結槽４内の凍結処理用ブライン５３に供給する。係る構成によれば、該凍結処理用ブライン５３の温度が常時略一定に精度良く保持され、被冷凍物の凍結処理が略一定温度の下で急速に行われることから、氷結晶が小さくなり細胞破壊が可及的に防止され、その凍結品質が向上するとともに、凍結処理時間の短縮化が促進され、凍結コストの低減が図れる。【選択図】図１
2018021745.tif 000002
【特許請求の範囲】
【請求項１】
凍結槽に貯留された凍結処理用ブライン内に被冷凍物を浸漬させて該被冷凍物を急速に凍結させるに際し、
固体粒子を含むシャーベット状の２種類の温度の異なる冷却ブラインを用意し、これら２種類の冷却ブラインを適宜量ずつ上記凍結槽内の凍結処理用ブラインに供給することを特徴とする急速冷凍方法。
【請求項２】
請求項１において、
上記凍結槽内の凍結処理用ブラインに、上記冷却ブラインの供給位置から一定方向への流れを発生させ、該凍結処理用ブラインに浸漬される上記被冷凍物を上記凍結処理用ブラインの流れに対向する方向へ移動させることを特徴とする急速冷凍方法。
【請求項３】
請求項１又は２において、
上記被冷凍物は、上記凍結処理用ブラインへの浸漬による凍結処理に先立って、その余熱が除去されることを特徴とする急速冷凍方法。
【請求項４】
凍結処理用ブラインが貯留された凍結槽と、
該凍結処理用ブライン内に被冷凍物を浸漬状態で移動させることでこれを凍結させる凍結手段と、
ブラインを冷却して固体粒子を含むシャーベット状の２種類の温度の異なる冷却ブラインを生成する冷却ブライン生成手段と、
上記２種類の冷却ブラインを上記凍結槽内の凍結処理用ブラインに供給するブライン供給手段と、
上記凍結槽内の凍結処理用ブラインの温度に応じて上記ブライン供給手段による上記２種類の冷却ブラインの供給割合を調整するブライン供給量調整手段と、
を備えたことを特徴とする急速冷凍装置。
【請求項５】
請求項４において、
上記冷却ブライン生成手段が、高温側の冷凍機と低温側の冷凍機を備え、高温側の冷凍機では二次冷媒としてのブラインを冷却して高温側の冷却ブラインを生成し、低温側の冷凍機では上記高温側の冷凍機から供給される高温側の冷却ブラインを二次冷媒としてこれを冷却して低温側の冷却ブラインを生成するように構成されたことを特徴とする急速冷凍装置。
【請求項６】
請求項５において、
上記高温側の冷凍機の蒸発側熱交換器と上記低温側の冷凍機の蒸発側熱交換器が、共に傾斜配置されたパネル熱交換器で構成され、該各パネル熱交換器の上面に二次冷媒としてのブラインが流されることを特徴とする急速冷凍装置。
【請求項７】
請求項４，５又は６において、
上記凍結手段による上記被冷凍物の移動方向の前方側に上記ブライン供給手段から上記凍結槽への冷却ブラインの供給位置が、上記被冷凍物の移動方向の手前側に該凍結槽内の凍結処理用ブラインの排出位置がそれぞれ設定されていることを特徴とする急速冷凍装置。
【請求項８】
請求項４、５，６又は７において、
上記凍結手段の前段側に、上記被冷凍物の余熱を除去する余熱除去手段が設けられていることを特徴とする急速冷凍装置。
【発明の詳細な説明】
【技術分野】
【０００１】
本願発明は、食品等の被冷凍物を急速冷凍する際に用いられる急速冷凍方法、及び急速冷凍装置に関するものである。
【背景技術】
【０００２】
食品を長期に亘って保存する手段として、常温下にある食品を凍結させて保存する冷凍保存が知られている。また、この常温下にある食品を凍結させる場合、食品中の水分が氷に変化する際の体積膨張によって食品の細胞が壊され、食品の味とか食感が損なわれることから、凍結に伴う氷の結晶をできるだけ小さくして細胞破壊作用を抑制すること、即ち、凍結速度を早くし、食品の氷結晶生成温度帯（−５℃〜−１℃の範囲）をより短時間で通過させることが必要であり、これを実現する手法として、急速冷凍法が提案されている（例えば、特許文献１、特許文献２  参照）。
【０００３】
特許文献１に示される食品冷凍法は、密閉不凍液槽内で、ブラインとしてのエチルアルコール水溶液を−３０℃〜−５０℃に冷却するとともに、この冷却されたブラインを噴流撹拌機により噴流撹拌し、この冷却ブラインの撹拌噴流中に食品等の被冷凍物を浸漬し、該被冷凍物の周囲から包み込むように噴流を作用させてこれを均等に冷却して凍結させるものである。
【０００４】
特許文献２には、ブラインとして、−３０℃〜−１３５℃のメタノール、エタノールなどのアルコール、アセトン、又はエチレングリコールなどを用いて、被冷凍物を急速冷凍する技術が示されている。
【先行技術文献】
【特許文献】
【０００５】
【特許文献１】特公平７−２８７１０号公報
【特許文献２】特開平１０−１７９１０５号公報
【発明の概要】
【発明が解決しようとする課題】
【０００６】
ところで、食品等の急速冷凍では、上掲技術にも示されるように、低温のブライン内に食品を浸漬させて行うことから、凍結された被冷凍物の品質を一定状態に保持するためには、凍結作用中を通してブラインの温度が略一定に保持されることが必要となる。
【０００７】
しかし、特許文献１の急速冷凍方法は、バッチ方式で急速冷凍作用を行わせる構成であることから、一回の凍結処理の間にブラインの温度が、被冷凍物からの受熱によって次第に上昇変化し、氷結晶が大きくなり、凍結に伴う細胞破壊が進むなど、凍結品質（凍結後における被冷凍物の主として組成的な品質）が低下することが懸念される。
【０００８】
一方、特許文献２の急速冷凍方法では、その記載からバッチ方式で急速冷凍作用を行わせる構成であると考えられ、しかもこの急速冷凍時に、被凍結物中の水のクラスターを小さくして凍結に伴う細胞破壊作用を抑制する観点から、トルマリン、ブラックシリカ等のエネルギ伝達物質をブラインに混合させるようにしている。しかし、この場合も、特許文献１の場合と同様に、被凍結物及びエネルギ伝達物質からの受熱によってブラインの温度が次第に上昇変化することから、上記エネルギ伝達物質を混合した効果が減殺され、凍結品質が低下することが懸念される。
【０００９】
即ち、被冷凍物の凍結処理中におけるブラインの温度を一定に保持して被冷凍物の凍結品質を良好に維持するための技術は未だ提案されておらず、係る技術の開発が要請されるところである。
【００１０】
そこで本願発明は、上記要請に応えるべく、凍結槽内のブラインの温度を略一定に保持して被冷凍物の凍結品質を確保する急速冷凍方法及び急速冷凍装置を提案することを目的としてなされたものである。
【課題を解決するための手段】
【００１１】
本願発明ではかかる課題を解決するための具体的手段として次のような構成を採用している。
【００１２】
本願の第１の発明に係る急速冷凍方法では、凍結槽に貯留された凍結処理用ブライン内に被冷凍物を浸漬させて該被冷凍物を急速に凍結させるに際し、固体粒子を含むシャーベット状の２種類の温度の異なる冷却ブラインを用意し、これら２種類の冷却ブラインを適宜量ずつ上記凍結槽内の凍結処理用ブラインに供給することを特徴としている。
【００１３】
本願の第２の発明では、上記第１の発明に係る急速冷凍方法において、上記凍結槽内の凍結処理用ブラインに、上記冷却ブラインの供給位置から一定方向への流れを発生させ、該凍結処理用ブラインに浸漬される上記被冷凍物を上記凍結処理用ブラインの流れに対向する方向へ移動させることを特徴としている。
【００１４】
本願の第３の発明では、上記第１又は第２の発明に係る急速冷凍方法において、上記被冷凍物の余熱を、上記凍結処理用ブラインへの浸漬による凍結処理に先立って除去することを特徴としている。
【００１５】
本願の第４の発明に係る急速冷凍装置では、凍結処理用ブラインが貯留された凍結槽と、該凍結処理用ブライン内に被冷凍物を浸漬状態で移動させることでこれを凍結させる凍結手段と、ブラインを冷却して固体粒子を含むシャーベット状の２種類の温度の異なる冷却ブラインを生成する冷却ブライン生成手段と、上記２種類の冷却ブラインを上記凍結槽内の凍結処理用ブラインに供給する冷却ブライン供給手段と、上記凍結槽内の凍結処理用ブラインの温度に応じて上記冷却ブライン供給手段による上記２種類の冷却ブラインの供給割合を調整する供給量調整手段を備えたことを特徴としている。
【００１６】
本願の第５の発明では、上記第４の発明に係る急速冷凍装置において、上記冷却ブライン生成手段を、高温側の冷凍機と低温側の冷凍機を備え、高温側の冷凍機では二次冷媒としてのブラインを冷却して高温側の冷却ブラインを生成し、低温側の冷凍機では上記高温側の冷凍機から供給される高温側の冷却ブラインを二次冷媒としてこれを冷却して低温側の冷却ブラインを生成するように構成したことを特徴としている。
【００１７】
本願の第６の発明では、上記第５の発明に係る急速冷凍装置において、上記高温側の冷凍機の蒸発側熱交換器と上記低温側の冷凍機の蒸発側熱交換器を、共に傾斜配置されたパネル熱交換器で構成し、該各パネル熱交換器の上面に二次冷媒としてのブラインを流すことを特徴としている。
【００１８】
本願の第７の発明では、上記第４、第５又は第６の発明に係る急速冷凍装置において、上記凍結手段による上記被冷凍物の移動方向の前方側に上記冷却ブライン供給手段から上記凍結槽への冷却ブラインの供給位置を、上記被冷凍物の移動方向の手前側に該凍結槽内の凍結処理用ブラインの排出位置をそれぞれ設定したことを特徴としている。
【００１９】
本願の第８の発明では、上記第４、第５、第６又は第７の発明に係る急速冷凍装置において、上記凍結手段の前段側に、上記被冷凍物の余熱を除去する余熱除去手段を設けたことを特徴としている。
【発明の効果】
【００２０】
（ａ）本願の第１の発明
本願の第１の発明に係る急速冷凍方法によれば、凍結槽に貯留された凍結処理用ブライン内に被冷凍物を浸漬させて該被冷凍物を急速に凍結させるに際し、固体粒子を含むシャーベット状の２種類の温度の異なる冷却ブラインを用意し、これら２種類の冷却ブラインを適宜量ずつ上記凍結槽内の凍結処理用ブラインに供給するようにしているので、上記凍結処理用ブラインに２種類の冷却ブラインを適宜量ずつ供給することによって、該凍結処理用ブラインの温度を常時略一定に精度良く保持することができる。この結果、凍結処理用ブラインへの浸漬によって凍結される被冷凍物は、その凍結処理が略一定温度の下で急速に行われることから、氷結晶が小さくなり細胞破壊が可及的に防止され、その凍結品質が向上することになる。
【００２１】
また、被冷凍物を略一定温度の凍結処理用ブラインによって凍結させることから、例えば、凍結処理用ブラインが凍結処理の進行に伴って昇温変化する場合に比して、凍結時間の短縮化が促進され、延いては、凍結コストの低減が図れる。
【００２２】
さらに、上記凍結処理用ブラインに供給される２種類の温度の異なる冷却ブラインは、共に固体粒子を含むシャーベット状とされていることから、これら各冷却ブラインは上記凍結処理用ブラインへの供給前においては、固体粒子の溶解潜熱によって所定温度を維持し易くなっている。したがって、これら温度の異なる２種類の冷却ブラインを上記凍結処理用ブラインに供給してその温度調整を行う場合における調整精度が高められ、延いては、被冷凍物の凍結品質の向上効果がさらに促進される。
ここで、冷却ブラインが固体粒子を含むシャーベット状であるとは、エタノールや水からなる冷却ブラインが、これらの固体粒子と液体とが混ざった状態であることをいい、固体粒子の含有割合が低く液体の含有割合が高いために液体と略同等の流動性を示す状態のものから、固体粒子の含有割合が高く液体の含有割合が低いために流動性が低下した状態のものまでを広く含む。但し、固体粒子の含有割合が高過ぎて管路内の移送に支障を生ずるような状態のものは含まない。
なお、上記凍結処理用ブラインは固体粒子を含むシャーベット状である必要はなく、完全な液体の状態で良い。
【００２３】
（ｂ）本願の第２の発明
本願の第２の発明に係る急速冷凍方法によれば、上記（ａ）に記載の効果に加えて以下のような特有の効果が得られる。即ち、この発明では、上記凍結槽内の凍結処理用ブラインに、上記冷却ブラインの供給位置から一定方向への流れを発生させ、該凍結処理用ブラインに浸漬される上記被冷凍物を上記凍結処理用ブラインの流れに対向する方向へ移動させるようにしているので、上記凍結槽内の凍結処理用ブラインには、その流れ方向の上流側、即ち、上記冷却ブライン供給位置側から流れ方向下流側に向かって温度が次第に高くなるような温度勾配が生じる。従って、上記被冷凍物は、凍結処理用ブライン内を、その温度の高い側から低い側へ向けて移動することになる。
【００２４】
この結果、凍結処理用ブラインの温度勾配と被冷凍物の温度変化状態が対応し、該被冷凍物はその温度が高い状態では比較的高温側の凍結処理用ブラインによって冷却が開始されるとともに、その温度変化（降温変化）の進行に伴って次第に低温側の凍結処理用ブラインによって冷却されることから、熱損失の少ない（即ち、凍結処理用ブラインの温度上昇の少ない）効率的な凍結作用が実現され、延いては冷凍コストの低廉化が図れることになる。
【００２５】
（ｃ）本願の第３の発明
本願の第３の発明では、上記（ａ）又は（ｂ）に記載の効果に加えて以下のような特有の効果が得られる。即ち、この発明では、上記被冷凍物の余熱を、上記凍結処理用ブラインへの浸漬による凍結処理に先立って除去するようにしているので、凍結処理用ブラインでの熱損失が少なく（即ち、凍結処理用ブラインの温度上昇が少なく）効率的な凍結作用が実現される。また、被冷凍物が余熱をもったまま凍結処理用ブラインに浸漬される場合に比して、凍結時間の短縮化が促進され、冷凍コストの低減が図れる。
【００２６】
（ｄ）本願の第４の発明
本願の第４の発明に係る急速冷凍装置によれば、凍結処理用ブラインが貯留された凍結槽と、該凍結処理用ブライン内に被冷凍物を浸漬状態で移動させることでこれを凍結させる凍結手段と、ブラインを冷却して固体粒子を含むシャーベット状の２種類の温度の異なる冷却ブラインを生成する冷却ブライン生成手段と、上記２種類の冷却ブラインを上記凍結槽内の凍結処理用ブラインに供給する冷却ブライン供給手段と、上記凍結槽内の凍結処理用ブラインの温度に応じて上記冷却ブライン供給手段による上記２種類の冷却ブラインの供給割合を調整する供給量調整手段を備えているので、上記冷却ブライン生成手段で生成された温度の異なる２種類の冷却ブラインを上記冷却ブライン供給手段から上記凍結槽の凍結処理用ブライン内に供給するとともに、この２種類の冷却ブラインの上記凍結処理用ブラインへの供給割合を、該凍結処理用ブラインの温度に応じて上記供給量調整手段によって調整することで、該凍結処理用ブラインの温度を略一定に保持することが可能となる。
【００２７】
このように、凍結処理用ブラインの温度を略一定に保持できることで、例えば、被冷凍物はその凍結作用が略一定温度の下で行われることから、凍結に伴う被冷凍物内の氷結晶が小さくなりその細胞破壊が可及的に防止され、これにより被冷凍物の凍結品質が向上する。
【００２８】
また、被冷凍物を略一定温度の凍結処理用ブラインによって凍結させることから、例えば、凍結処理用ブラインが凍結処理の進行に伴って昇温変化するような場合に比して、凍結時間の短縮化が促進され、延いては、凍結コストの低減が図れる。
【００２９】
さらに、上記凍結処理用ブラインに供給される２種類の温度の異なる冷却ブラインは、共に固体粒子を含むシャーベット状とされていることから、これら各冷却ブラインは上記凍結処理用ブラインへの供給前においては、固体粒子の溶解潜熱によって所定温度を維持し易い。このため、これら２種類の温度の異なる冷却ブラインの供給による上記凍結処理用ブラインの温度調整の精度を高めることができ、その結果、被冷凍物の凍結品質の向上効果がさらに促進される。
【００３０】
（ｅ）本願の第５の発明
本願の第５の発明では、上記（ｄ）に記載の効果に加えて以下のような特有の効果が得られる。即ち、この発明では、上記冷却ブライン生成手段を、高温側の冷凍機と低温側の冷凍機を備え、高温側の冷凍機では二次冷媒としてのブラインを冷却して高温側の冷却ブラインを生成し、低温側の冷凍機では上記高温側の冷凍機から供給される高温側の冷却ブラインを二次冷媒としてこれを冷却して低温側の冷却ブラインを生成するように構成したので、大きな温度差をもつ２種類の冷却ブラインを得ることができ、これら２種類の冷却ブラインを適宜割合で上記凍結処理用ブラインに供給して該凍結処理用ブラインの温度を調整する場合における調整温度幅をより大きくとることができ、被冷凍物の種類に応じた凍結状態を得ることが可能となる。
【００３１】
（ｆ）本願の第６の発明
本願の第６の発明では、上記（ｅ）に記載の効果に加えて以下のような特有の効果が得られる。即ち、この発明では、上記高温側の冷凍機の蒸発側熱交換器と上記低温側の冷凍機の蒸発側熱交換器を、共に傾斜配置されたパネル熱交換器で構成し、該各パネル熱交換器の上面に二次冷媒としてのブラインを流すようにしているので、該パネル熱交換器でのブラインの冷却効率が高く、より短時間で所要温度の冷却ブラインを得ることができるとともに、該パネル熱交換器の上面におけるブラインの冷却状態、例えば、シャーベット状のブラインにおける固体粒子の生成状態等を目視にて確認することができる。
【００３２】
（ｇ）本願の第７の発明
本願の第７の発明では、上記（ｄ）、（ｅ）又は（ｆ）に記載の効果に加えて以下のような特有の効果が得られる。即ち、この発明では、上記凍結手段による上記被冷凍物の移動方向の前方側に上記冷却ブライン供給手段から上記凍結槽への冷却ブラインの供給位置を、上記被冷凍物の移動方向の手前側に該凍結槽内の凍結処理用ブラインの排出位置をそれぞれ設定しているので、上記凍結槽内の凍結処理用ブラインには、上記冷却ブライン供給位置側から凍結処理用ブラインの排出位置側へ向かう流れが生成され、この流れ方向の上流側から下流側に向かって温度が次第に高くなるような温度勾配が生じ、被冷凍物は凍結処理用ブライン内を、その温度の高い側から低い側へ向けて移動することになる。
【００３３】
したがって、凍結処理用ブラインの温度勾配と被冷凍物の温度変化状態が対応し、該被冷凍物はその温度が高い状態では比較的高温側の凍結処理用ブラインによって冷却が開始されるとともに、その温度変化（降温変化）に伴って次第に低温側の凍結処理用ブラインによって冷却されて凍結されることとなり、熱損失の少ない（即ち、凍結処理用ブラインの温度上昇の少ない）効率的な凍結作用が実現され、延いては冷凍コストの低廉化が図れることになる。
【００３４】
（ｈ）本願の第８の発明
本願の第８の発明では、上記（ｄ）、（ｅ）（ｆ）又は（ｇ）に記載の効果に加えて以下のような特有の効果が得られる。即ち、この発明では、上記凍結手段の前段側に、上記被冷凍物の余熱を除去する余熱除去手段を設けているので、該被冷凍物は余熱が除去され、温度が下がった状態で上記凍結槽の凍結処理用ブライン内に浸漬されて冷却されることから、該凍結処理用ブラインの温度上昇を低く抑えることができる。
【図面の簡単な説明】
【００３５】
【図１】本願発明の実施形態に係る急速冷凍装置のシステム構成図である。
【発明を実施するための形態】
【００３６】
図１には、本願発明の実施形態に係る急速冷凍装置Ｚのシステム構成図を示している。この急速冷凍装置Ｚは、食品等の被冷凍物５０を、低温のブラインによって急速に冷却してこれを凍結させるものであって、低温に冷却された冷却ブライン５１，５２を生成する第１冷凍機１と第２冷凍機２からなる冷却ブライン生成手段Ａと、凍結処理用ブラインを貯留した凍結槽４を備えた凍結手段Ｂと、上記各冷凍機１，２で生成された冷却ブライン５１，５２を上記凍結槽４に供給する冷却ブライン供給手段Ｃと、上記冷却ブライン供給手段Ｃによる冷却ブライン５１，５２の上記凍結槽４への供給量を調整する供給量調整手段Ｄと、被冷凍物５０の余熱を除去する余熱除去手段Ｅを備えて構成される。
【００３７】
「冷却ブライン生成手段Ａ」
上記冷却ブライン生成手段Ａは、常温のブラインを冷却して「約−５０℃」の高温側の冷却ブライン５１を生成する第１冷凍機１（特許請求の範囲中の「高温側の冷凍機」に該当する）と、上記第１冷凍機１において生成された冷却ブライン５１をさらに冷却して「約−７０℃」の低温側の冷却ブライン５２を生成する第２冷凍機２（特許請求の範囲中の「低温側の冷凍機」に該当する）を備えて構成される。なお、この実施形態では、上記ブライン（第１冷凍機１及び第２冷凍機２における二次冷媒）として、例えば、６５質量％の濃度のエチルアルコールを採用している。
【００３８】
ここで、図１では、第１冷凍機１として、その蒸発器として機能する熱交換器１２，１３（特許請求の範囲中の「蒸発側の熱交換器」に該当する）部分のみを図示し、他の冷凍サイクル構成部分の図示は省略している。そして、図示していないが、この冷凍サイクルは二次冷媒（この実施形態ではブライン）を「−５０℃」という極低温まで冷却させるものであるため、二元冷凍サイクルの冷凍機（即ち、沸点の異なる冷媒を用いた二つの冷凍サイクルを、熱交換器を介して結合した構成の冷凍機）を採用している。
【００３９】
また、上記第２冷凍機２においても、その蒸発器として機能する熱交換器２２，２３（特許請求の範囲中の「蒸発側熱交換器」に該当する）部分のみを図示し、他の冷凍サイクル構成部分の図示は省略している。そして、図示していないが、この冷凍サイクルは二次冷媒（この実施形態では上記第１冷凍機１で生成された冷却ブライン５１）を「−７０℃」という極低温まで冷却させるものであるため、上記第１冷凍機１と同様に、二元冷凍サイクルの冷凍機を採用している。このように、上記第２冷凍機２は、二次冷媒として上記第１冷凍機１で生成された冷却ブライン５１を用いることを除けば、上記第１冷凍機１の場合と同様の構成とされている。以下の説明においては、これら第１冷凍機１の熱交換器１２，１３、及び上記第２冷凍機２の熱交換器２２，２３部分のみを、便宜上、「第１冷凍機１」、「第２冷凍機２」と称する。
【００４０】
「第１冷凍機１」
上記第１冷凍機１には、熱交換室１１が設けられ、この熱交換室１１内には、扁平板状形体をもつパネル熱交換器で構成される熱交換器１２と熱交換器１３（共に、蒸発器として機能する）が、一方の熱交換器１２の下端側に他方の熱交換器１３が折り返して連続するように、該熱交換室１１の壁面にそれぞれ傾斜状態で配置されている。そして、上記熱交換室１１の上方で且つ上記熱交換器１２の上端側に開口した管路３１から導入されるブライン（後述の凍結槽４内に貯留され、凍結処理に供されて昇温した凍結処理用ブライン５３であって、例えば、−３５℃程度の温度をもつブライン）が供給される。
【００４１】
この熱交換器１２の上端側に供給される凍結処理用ブライン５３は、該熱交換器１２の上面に沿ってその上端側から下端側へ流下したのち、さらに上記熱交換器１３の上端側に落下し、該熱交換器１３の上面に沿ってその上端側から下端側に向けて流下し、該熱交換室１１の底部に一時貯留される。この場合、上記凍結処理用ブライン５３は、上記熱交換器１２の上面及び上記熱交換器１３の上面をこれに沿って流下する際に、該各熱交換器１２，１３内を流れる極低温の一次冷媒との熱交換によって急速に冷却され、「約−５０℃」の温度をもち且つ固体粒子を含むシャーベット状の冷却ブライン５１が生成される。
【００４２】
そして、この熱交換室１１内で生成された冷却ブライン５１は、該熱交換室１１の底部からその隣に設けられた貯留室１４側に流入し、ここに一時貯留される。この貯留室１４の底部には流量調整弁３７を備えた管路３２が接続されるとともに、該貯留室１４の壁部には、その下流端が上記第２冷凍機２の熱交換室２１の上部に開口する管路３０が設けられており、この管路３０を介して上記第１冷凍機１の貯留室１４と上記第２冷凍機２の熱交換室２１が連通される。
【００４３】
したがって、上記第１冷凍機１の貯留室１４に貯留された冷却ブライン５１は、その一部が上記管路３２を介して後述する凍結手段Ｂの凍結室３側に導出されるとともに、他の一部は上記管路３０を介して上記第２冷凍機２の熱交換室２１側へ導出され得る状態となっている。
【００４４】
「第２冷凍機２」
上記第２冷凍機２には、熱交換室２１が設けられ、この熱交換室２１内には、扁平板状形体をもつパネル熱交換器で構成される二つの熱交換器２２、２３が、一方の熱交換器２２の下端側に他方の熱交換器２３が折り返して連続するように、該熱交換室２１の壁面にそれぞれ傾斜状態で配置されている。そして、上記熱交換室２１の上方で且つ上記熱交換器２２の上端側に開口した上記管路３０から「約−５０℃」の温度をもつ上記冷却ブライン５１が供給される。
【００４５】
この熱交換器２２の上端側に供給される冷却ブライン５１は、該熱交換器２２の上面に沿ってその上端側から下端側へ流下したのち、さらに上記熱交換器２３の上端側に落下し、該熱交換器２３の上面に沿ってその上端側から下端側に向けて流下し、該熱交換室２１の底部に一時貯留される。この場合、上記冷却ブライン５１は、上記熱交換器２２の上面及び上記熱交換器２３の上面をこれに沿って流下する際に、該各熱交換器２２，２３内を流れる極低温の一次冷媒との熱交換によって急速に冷却され、「約−７０℃」の温度をもち且つ固体粒子を含むシャーベット状の冷却ブライン５２とされる。
【００４６】
そして、この熱交換室２１内で生成された冷却ブライン５２は、該熱交換室２１の底部からその隣に設けられた貯留室２４側に流入し、ここに一時貯留される。この貯留室２４の底部には、流量調整弁３８とポンプ４２を備え且つその下流端が上記管路３２の上記流量調整弁３７の下流側に合流する管路３４が接続されている。したがって、この第２冷凍機２の貯留室２４に貯留された冷却ブライン５２は、上記管路３４及び上記管路３２を介して上記凍結手段Ｂの凍結室３側に導出され得る状態となっている。
【００４７】
「冷却ブライン供給手段Ｃ」
上記冷却ブライン供給手段Ｃは、上述のように、上記冷却ブライン生成手段Ａの各冷凍機１，２で生成された冷却ブライン５１，５２を上記凍結槽４に供給するためのものであって、上記第１冷凍機１の貯留室１４と上記凍結手段Ｂの凍結室３を連結する上記管路３２と、上記第２冷凍機２の貯留室２４と上記管路３２を介して上記凍結手段Ｂの凍結室３を連結する管路３４で構成される。なお、上記管路３２に設けられた流量調整弁３７と上記管路３４に設けられた流量調整弁３８は、後述する供給量調整手段Ｄの構成部材の一つとなる。
【００４８】
「凍結手段Ｂ」
上記凍結手段Ｂは、所要容積をもつ凍結室３内に、凍結処理用ブライン５３が所要量貯留された横長の凍結槽４と、該凍結槽４内の凍結処理用ブライン５３中に浸漬状態で設けられて被冷凍物５０を上記凍結槽４の一端４ａ側から他端４ｂ側へ向けて移送する浸漬移送コンベア７を配置して構成される。また、上記浸漬移送コンベア７の前段側には被冷凍物５０を上記浸漬移送コンベア７側に搬入する搬入コンベア６が、後段側には上記浸漬移送コンベア７側から上記被冷凍物５０を搬出する搬出コンベア８が備えられている。さらに、上記凍結槽４の上部で、凍結処理用ブライン５３の液面直下位置には、上記浸漬移送コンベア７で移送される被冷凍物５０の浮上を阻止して凍結を促進させる浮上阻止板９が配置されている。
【００４９】
なお、上記凍結処理用ブライン５３の温度は、被冷凍物５０の種類とか大きさ等の条件によって、該被冷凍物５０を良好状態で凍結させるに最適な温度（最適凍結温度）に設定されるが、この実施形態ではこの最適凍結温度を「−３５℃」に設定している。
【００５０】
また、上記冷却ブライン生成手段Ａの上記管路３２は、上記凍結槽４の他端４ｂ寄り位置に開口され、ここから上記凍結槽４内に冷却ブライン５１，５２が供給される。一方、上記凍結槽４の一端４ａ寄りの底部には、凍結処理用ブライン５３の排出位置となる管路３６が設けられている。そして、この管路３６にはブライン貯留タンク５が取り付けられ、該ブライン貯留タンク５内の凍結処理用ブライン５３はポンプ４１により管路３１を介して上記冷却ブライン生成手段Ａの第１冷凍機１の熱交換室１１側に送給されるようになっている。
【００５１】
「供給量調整手段Ｄ」
上記供給量調整手段Ｄは、上述のように、上記冷却ブライン供給手段Ｃによる冷却ブライン５１，５２の上記凍結槽４への供給量を調整し、これによって上記凍結槽４内の凍結処理用ブライン５３の温度調整を行うものであって、上記冷却ブライン生成手段Ａの第１冷凍機１に設けられた温度センサ３９及び上記第２冷凍機２に設けられた温度センサ４０と、上記冷却ブライン供給手段Ｃの管路３２に設けられた流量調整弁３７及び上記管路３４に設けられた流量調整弁３８と、上記凍結手段Ｂの上記凍結槽４に設けられた温度センサ４５、及び制御装置２９を備えて構成される。
【００５２】
上記制御装置２９では、常時、上記冷却ブライン生成手段Ａ側の各温度センサ３９，４０と、上記凍結手段Ｂ側の上記温度センサ４５においてそれぞれ検出される温度信号を受けて、例えば、上記凍結槽４内の凍結処理用ブライン５３の温度が、予め設定した被冷凍物５０の最適凍結温度（例えば、−３５℃）から所定温度以上に上昇したとき、上記温度センサ３９で検出される温度をもつ上記第１冷凍機１側の冷却ブライン５１と、上記温度センサ４０で検出される温度をもつ上記第２冷凍機２側の冷却ブライン５２とを、所定割合で混合してこれを上記管路３２から上記凍結槽４内の凍結処理用ブライン５３に供給し、該凍結処理用ブライン５３の温度を上記最適凍結温度まで低下させる。これによって、上記凍結槽４内の凍結処理用ブライン５３は、常時被冷凍物５０の凍結に最適な温度に維持されることになる。
【００５３】
なお、上記冷却ブライン生成手段Ａの第１冷凍機１で生成される冷却ブライン５１は、該第１冷凍機１が２元冷凍サイクルで構成され、高温側サイクルと低温側サイクルそれぞれの一次冷媒の種類を選択することで二次冷媒を所定温度（この実施形態では−５０℃）とすべく制御されるが、例えば、冷却ブライン５１は上記貯留室１４内での貯留時間等によって温度変化するため、上記温度センサ３９で温度測定してその温度情報を用いることで上記供給量調整手段Ｄにおける供給量調整の精度を担保するものである。この点は、上記第２冷凍機２側において上記温度センサ４０で冷却ブライン５２の温度測定を行う場合も同様である。
【００５４】
「余熱除去手段Ｅ」
上記余熱除去手段Ｅは、上記凍結手段Ｂへの搬入に先立って、上記被冷凍物５０の余熱を除去し、該凍結手段Ｂでの凍結作用の効率化を図るものであって、この実施形態では、上記凍結室３の前段側に、上記凍結槽４の一端４ａ寄りの一部と上記搬入コンベア６の一部を覆うようにして余熱除去室１０を設け、上記凍結室３にブロア４３を備えた管路３５の一端を開口させるとともに、該管路３５の他端を上記余熱除去室１０内に配置し、且つその先端ノズル４４を取り付ける。そして、上記管路３５を通して上記凍結室３内の冷気を上記余熱除去室１０側に導入し、これを上記ノズル４４から噴出させるとともに、その噴流を上記搬入コンベア６によって移送されてくる被冷凍物５０に吹き付けることでこれを冷却し、その余熱を除去するようにしている。
【００５５】
なお、この余熱除去手段Ｅは、係る構成に限られるものではなく、例えば、上記冷却ブライン生成手段Ａで生成される冷却ブライン５１，５２を管路によって上記余熱除去室１０側へ導入し、これをノズルによって噴流として噴出させて上記被冷凍物５０を冷却し、その余熱を除去することもできる。
【００５６】
「急速冷凍装置Ｚの動作説明等」
以上のように構成された急速冷凍装置Ｚは以下のように動作する。
【００５７】
上記凍結手段Ｂの上記凍結槽４には、最適凍結温度（約−３５℃）に温度設定された凍結処理用ブライン５３が所要量投入されている。この凍結槽４の凍結処理用ブライン５３内に、上記搬入コンベア６によって移送される被冷凍物５０が、余熱除去手段Ｅにおいて余熱が除去された状態で、順次浸漬される。そして、この被冷凍物５０は、上記浸漬移送コンベア７によって該凍結槽４の一端４ａ側から他端４ｂ側へ移動される間に、該凍結処理用ブライン５３によって冷却されて凍結する。凍結された被冷凍物５０は、上記搬出コンベア８によって次工程へ搬出される。
【００５８】
一方、上記凍結槽４内の凍結処理用ブライン５３は、上記ブライン貯留タンク５を介して上記冷却ブライン生成手段Aの第１冷凍機１の熱交換室１１側へ導入され、ここで「約−５０℃」の固体粒子を含むシャーベット状の冷却ブライン５１とされ、その一部は貯留室１４内に貯留されるが、他の一部はさらに上記第２冷凍機２の熱交換室２１側へ導入され、ここで「約−７０℃」の固体粒子を含むシャーベット状の冷却ブライン５２とされ、貯留室２４内に貯留される。
【００５９】
上記凍結槽４における凍結処理の進行に伴って、その凍結処理用ブライン５３は、例えば、被冷凍物５０側からの吸熱によって次第に温度が上昇し、これが上記最適凍結温度以上に達すると、上記供給量調整手段Ｄが作動し、該凍結処理用ブライン５３の最適凍結温度への復帰操作が開始される。即ち、上記制御装置２９において、上記第１冷凍機１の冷却ブライン５１の温度と上記第２冷凍機２の冷却ブライン５２の温度及び上記凍結槽４内の凍結処理用ブライン５３の温度を受けて、該凍結処理用ブライン５３の温度を上記最適凍結温度「−３５℃」に復帰させるべく、「−５０℃」の冷却ブライン５１と「−７０℃」の冷却ブライン５２の混合割合を算出し、この算出割合に基いて上記冷却ブライン５１と冷却ブライン５２を混合させ、これを上記凍結槽４の他端４ｂ側に供給する。すると、該凍結槽４内の凍結処理用ブライン５３は、新たに供給される冷却ブライン５１，５２によってその温度が下げられ、上記最適凍結温度「−３５℃」に復帰され、これによって上記被冷凍物５０の最適状態での凍結処理が継続されるものである。
【００６０】
このように構成され、且つ動作する上記急速冷凍装置Ｚにおいては、以下のような特有の作用効果が得られる。
【００６１】
（１）この急速冷凍装置Ｚでは、上記凍結槽４に貯留された凍結処理用ブライン５３内に被冷凍物５０を浸漬させて該被冷凍物５０を急速に凍結させるに際し、固体粒子を含むシャーベット状の２種類の温度の異なる冷却ブライン５１，５２を用意し、これら２種類の冷却ブライン５１，５２を適宜量ずつ上記凍結槽４内の凍結処理用ブライン５３に供給するようにしているので、該凍結処理用ブライン５３の温度を常時略一定に精度良く保持することができ、この結果、凍結処理用ブライン５３への浸漬によって凍結される被冷凍物５０は、その凍結処理が略一定温度の下で急速行われることから、氷結晶が小さくなり、凍結に伴う細胞破壊が可及的に防止されるなど、その凍結品質が向上することになる。
【００６２】
（２）被冷凍物５０を略一定温度の凍結処理用ブライン５３によって凍結させることから、例えば、凍結処理用ブライン５３が凍結処理の進行に伴って昇温変化する場合に比して、凍結時間の短縮化が促進され、延いては、凍結コストの低減が図れる。
【００６３】
（３）上記凍結処理用ブライン５３に供給される２種類の温度の異なる冷却ブライン５１，５２は、共に固体粒子を含むシャーベット状とされていることから、これら各冷却ブライン５１，５２は上記凍結処理用ブライン５３への供給前においては、固体粒子の溶解潜熱によって所定温度を維持し易い。このため、これら２種類の温度の異なる冷却ブライン５１，５２の供給による上記凍結処理用ブライン５３の温度調整の精度が高められ、その結果、被冷凍物５０の凍結品質の向上効果がさらに促進される。
【００６４】
（４）上記凍結槽４の他端４ｂ寄り位置に上記冷却ブライン５１，５２の供給位置を設定するとともに、該凍結槽４の一端４ａ寄りに該凍結槽４内の凍結処理用ブライン５３の排出位置（管路３６）を設けることで、該凍結槽４内の凍結処理用ブライン５３に、該凍結槽４の他端４ｂ側から一端４ａ側へ向かう流れを発生させているので、上記凍結槽４内の凍結処理用ブライン５３には、その流れ方向の上流側（上記凍結槽４の他端４ｂ側）から流れ方向下流側（上記凍結槽４の一端４ａ側）に向かって温度が次第に高くなるような温度勾配が生じることになる。
【００６５】
一方、上記凍結槽４内の凍結処理用ブライン５３に浸漬される上記被冷凍物５０は、該凍結槽４の一端４ａ側から他端４ｂ側へ向けて移動される。即ち、凍結処理用ブライン５３の流れに対向する方向へ移動される。
【００６６】
このように、上記凍結処理用ブライン５３の流れ方向と上記被冷凍物５０の移動方向が対向することで、凍結処理用ブライン５３の温度勾配と被冷凍物５０の温度変化状態が対応し、該被冷凍物５０はその温度が高い状態では比較的高温側の凍結処理用ブライン５３によって冷却が開始されるとともに、その温度変化（降温変化）に伴って次第に低温側の凍結処理用ブライン５３によって冷却されて凍結されることから、熱損失の少ない（即ち、凍結処理用ブライン５３の温度上昇の少ない）効率的な凍結作用が実現され、延いては冷凍コストの低廉化が図れることになる。
【００６７】
（５）上記被冷凍物５０の余熱を、上記凍結処理用ブライン５３への浸漬に先立って除去するようにしているので、凍結処理用ブライン５３での熱損失が少なく（即ち、凍結処理用ブライン５３の温度上昇が少なく）効率的な凍結作用が実現される。また、被冷凍物が余熱をもったまま凍結処理用ブライン５３に浸漬される場合に比して、凍結時間の短縮化が促進され、冷凍コストの低減が図れる。
【００６８】
（６）上記冷却ブライン生成手段Ａを、高温側の第１冷凍機１と低温側の第２冷凍機２を備え、上記第１冷凍機１では二次冷媒としての凍結処理用ブライン５３を冷却して高温側の冷却ブライン５１を生成し、上記第２冷凍機２では上記第１冷凍機１から供給される高温側の冷却ブライン５１を二次冷媒としてこれを冷却して低温側の冷却ブライン５２を生成するように構成しているので、大きな温度差をもつ２種類の冷却ブライン５１，５２を得ることができ、その結果、これら２種類の冷却ブライン５１，５２を適宜割合で上記凍結処理用ブライン５３に供給して該凍結処理用ブライン５３の温度を調整する場合において、温度調整幅がより大きくとれ、被冷凍物５０の種類形状等に応じた最適な凍結状態を得ることが可能となる。
【００６９】
（７）高温側の第１冷凍機１の熱交換器１２，１３と低温側の第２冷凍機２の熱交換器２２，２３を、共に傾斜配置されたパネル熱交換器で構成し、該熱交換器１２，１３、同２２，２３の上面に二次冷媒としての凍結処理用ブライン５３あるいは冷却ブライン５１を流すようにしているので、該各熱交換器１２，１３、同２２，２３での冷却効率が高く、より短時間で所要温度の冷却ブライン５１，５２を得ることができるとともに、該各熱交換器１２，１３、同２２，２３の上面における冷却状態、例えば、シャーベット状のブラインにおける固体粒子の生成状態等を目視にて確認することができる。
【産業上の利用可能性】
【００７０】
本願発明に係る急速冷凍方法及び急速冷凍装置は、食品等の被冷凍物の急速冷凍分野において利用されるものである。
【符号の説明】
【００７１】
１  ・・第１冷凍機
２  ・・第２冷凍機
３  ・・凍結室
４  ・・凍結槽
５  ・・ブライン貯留タンク
６  ・・搬入コンベア
７  ・・浸漬移送コンベア
８  ・・搬出コンベア
９  ・・浮上阻止板
１０  ・・余熱除去室
１１  ・・熱交換室
１２  ・・熱交換器
１３  ・・熱交換器
１４  ・・貯留室
２１  ・・熱交換室
２２  ・・熱交換器
２３  ・・熱交換器
２４  ・・貯留室
５０  ・・被冷凍物
５１  ・・冷却ブライン
５２  ・・冷却ブライン
５３  ・・凍結処理用ブライン
Ａ  ・・冷却ブライン生成手段
Ｂ  ・・凍結手段
Ｃ  ・・冷却ブライン供給手段
Ｄ  ・・供給量調整手段
Ｅ  ・・余熱除去手段
Ｚ  ・・急速冷凍装置
【図１】
2018021745.tif 000003
【手続補正書】
【提出日】平成28年12月20日(2016.12.20)
【手続補正１】
【補正対象書類名】特許請求の範囲
【補正対象項目名】全文
【補正方法】変更
【補正の内容】
【特許請求の範囲】
【請求項１】
凍結槽に貯留された凍結処理用ブライン内に被冷凍物を浸漬させて該被冷凍物を急速に凍結させるに際し、
固体粒子を含むシャーベット状の２種類の温度の異なる冷却ブラインを用意し、これら２種類の冷却ブラインを適宜量ずつ上記凍結槽内の凍結処理用ブラインに供給する急速冷凍方法であって、
上記２種類の冷却ブラインは、まず二次冷媒としてのブラインを冷却して高温側の冷却ブラインを生成し、次いで上記高温側の冷却ブラインを二次冷媒としてこれを冷却して低温側の冷却ブラインを生成することで用意されることを特徴とする急速冷凍方法。
【請求項２】
請求項１において、
上記凍結槽内の凍結処理用ブラインに、上記冷却ブラインの供給位置から一定方向への流れを発生させ、該凍結処理用ブラインに浸漬される上記被冷凍物を上記凍結処理用ブラインの流れに対向する方向へ移動させることを特徴とする急速冷凍方法。
【請求項３】
請求項１又は２において、
上記被冷凍物は、上記凍結処理用ブラインへの浸漬による凍結処理に先立って、その余熱が除去されることを特徴とする急速冷凍方法。
【請求項４】
凍結処理用ブラインが貯留された凍結槽と、
該凍結処理用ブライン内に被冷凍物を浸漬状態で移動させることでこれを凍結させる凍結手段と、
ブラインを冷却して固体粒子を含むシャーベット状の２種類の温度の異なる冷却ブラインを生成する冷却ブライン生成手段と、
上記２種類の冷却ブラインを上記凍結槽内の凍結処理用ブラインに供給するブライン供給手段と、
上記凍結槽内の凍結処理用ブラインの温度に応じて上記ブライン供給手段による上記２種類の冷却ブラインの供給割合を調整するブライン供給量調整手段と、
を備えた急速冷凍装置であって、
上記冷却ブライン生成手段が、高温側の冷凍機と低温側の冷凍機を備え、高温側の冷凍機では二次冷媒としてのブラインを冷却して高温側の冷却ブラインを生成し、低温側の冷凍機では上記高温側の冷凍機から供給される高温側の冷却ブラインを二次冷媒としてこれを冷却して低温側の冷却ブラインを生成するように構成されたことを特徴とする急速冷凍装置。
【請求項５】
請求項４において、
上記高温側の冷凍機の蒸発側熱交換器と上記低温側の冷凍機の蒸発側熱交換器が、共に傾斜配置されたパネル熱交換器で構成され、該各パネル熱交換器の上面に二次冷媒としてのブラインが流されることを特徴とする急速冷凍装置。
【請求項６】
請求項４又は５において、
上記凍結手段による上記被冷凍物の移動方向の前方側に上記ブライン供給手段から上記凍結槽への冷却ブラインの供給位置が、上記被冷凍物の移動方向の手前側に該凍結槽内の凍結処理用ブラインの排出位置がそれぞれ設定されていることを特徴とする急速冷凍装置。
【請求項７】
請求項４、５又は６において、
上記凍結手段の前段側に、上記被冷凍物の余熱を除去する余熱除去手段が設けられていることを特徴とする急速冷凍装置。
【手続補正２】
【補正対象書類名】明細書
【補正対象項目名】全文
【補正方法】変更
【補正の内容】
【発明の詳細な説明】
【技術分野】
【０００１】
本願発明は、食品等の被冷凍物を急速冷凍する際に用いられる急速冷凍方法、及び急速冷凍装置に関するものである。
【背景技術】
【０００２】
食品を長期に亘って保存する手段として、常温下にある食品を凍結させて保存する冷凍保存が知られている。また、この常温下にある食品を凍結させる場合、食品中の水分が氷に変化する際の体積膨張によって食品の細胞が壊され、食品の味とか食感が損なわれることから、凍結に伴う氷の結晶をできるだけ小さくして細胞破壊作用を抑制すること、即ち、凍結速度を早くし、食品の氷結晶生成温度帯（−５℃〜−１℃の範囲）をより短時間で通過させることが必要であり、これを実現する手法として、急速冷凍法が提案されている（例えば、特許文献１、特許文献２  参照）。
【０００３】
特許文献１に示される食品冷凍法は、密閉不凍液槽内で、ブラインとしてのエチルアルコール水溶液を−３０℃〜−５０℃に冷却するとともに、この冷却されたブラインを噴流撹拌機により噴流撹拌し、この冷却ブラインの撹拌噴流中に食品等の被冷凍物を浸漬し、該被冷凍物の周囲から包み込むように噴流を作用させてこれを均等に冷却して凍結させるものである。
【０００４】
特許文献２には、ブラインとして、−３０℃〜−１３５℃のメタノール、エタノールなどのアルコール、アセトン、又はエチレングリコールなどを用いて、被冷凍物を急速冷凍する技術が示されている。
【先行技術文献】
【特許文献】
【０００５】
【特許文献１】特公平７−２８７１０号公報
【特許文献２】特開平１０−１７９１０５号公報
【発明の概要】
【発明が解決しようとする課題】
【０００６】
ところで、食品等の急速冷凍では、上掲技術にも示されるように、低温のブライン内に食品を浸漬させて行うことから、凍結された被冷凍物の品質を一定状態に保持するためには、凍結作用中を通してブラインの温度が略一定に保持されることが必要となる。
【０００７】
しかし、特許文献１の急速冷凍方法は、バッチ方式で急速冷凍作用を行わせる構成であることから、一回の凍結処理の間にブラインの温度が、被冷凍物からの受熱によって次第に上昇変化し、氷結晶が大きくなり、凍結に伴う細胞破壊が進むなど、凍結品質（凍結後における被冷凍物の主として組成的な品質）が低下することが懸念される。
【０００８】
一方、特許文献２の急速冷凍方法では、その記載からバッチ方式で急速冷凍作用を行わせる構成であると考えられ、しかもこの急速冷凍時に、被凍結物中の水のクラスターを小さくして凍結に伴う細胞破壊作用を抑制する観点から、トルマリン、ブラックシリカ等のエネルギ伝達物質をブラインに混合させるようにしている。しかし、この場合も、特許文献１の場合と同様に、被凍結物及びエネルギ伝達物質からの受熱によってブラインの温度が次第に上昇変化することから、上記エネルギ伝達物質を混合した効果が減殺され、凍結品質が低下することが懸念される。
【０００９】
即ち、被冷凍物の凍結処理中におけるブラインの温度を一定に保持して被冷凍物の凍結品質を良好に維持するための技術は未だ提案されておらず、係る技術の開発が要請されるところである。
【００１０】
そこで本願発明は、上記要請に応えるべく、凍結槽内のブラインの温度を略一定に保持して被冷凍物の凍結品質を確保する急速冷凍方法及び急速冷凍装置を提案することを目的としてなされたものである。
【課題を解決するための手段】
【００１１】
本願発明ではかかる課題を解決するための具体的手段として次のような構成を採用している。
【００１２】
本願の第１の発明に係る急速冷凍方法では、凍結槽に貯留された凍結処理用ブライン内に被冷凍物を浸漬させて該被冷凍物を急速に凍結させるに際し、固体粒子を含むシャーベット状の２種類の温度の異なる冷却ブラインを用意し、これら２種類の冷却ブラインを適宜量ずつ上記凍結槽内の凍結処理用ブラインに供給する急速冷凍方法であって、上記２種類の冷却ブラインは、まず二次冷媒としてのブラインを冷却して高温側の冷却ブラインを生成し、次いで上記高温側の冷却ブラインを二次冷媒としてこれを冷却して低温側の冷却ブラインを生成することで用意されることを特徴としている。
【００１３】
本願の第２の発明では、上記第１の発明に係る急速冷凍方法において、上記凍結槽内の凍結処理用ブラインに、上記冷却ブラインの供給位置から一定方向への流れを発生させ、該凍結処理用ブラインに浸漬される上記被冷凍物を上記凍結処理用ブラインの流れに対向する方向へ移動させることを特徴としている。
【００１４】
本願の第３の発明では、上記第１又は第２の発明に係る急速冷凍方法において、上記被冷凍物の余熱を、上記凍結処理用ブラインへの浸漬による凍結処理に先立って除去することを特徴としている。
【００１５】
本願の第４の発明に係る急速冷凍装置では、凍結処理用ブラインが貯留された凍結槽と、該凍結処理用ブライン内に被冷凍物を浸漬状態で移動させることでこれを凍結させる凍結手段と、ブラインを冷却して固体粒子を含むシャーベット状の２種類の温度の異なる冷却ブラインを生成する冷却ブライン生成手段と、上記２種類の冷却ブラインを上記凍結槽内の凍結処理用ブラインに供給する冷却ブライン供給手段と、上記凍結槽内の凍結処理用ブラインの温度に応じて上記冷却ブライン供給手段による上記２種類の冷却ブラインの供給割合を調整する供給量調整手段を備えた急速冷凍装置であって、上記冷却ブライン生成手段が、高温側の冷凍機と低温側の冷凍機を備え、高温側の冷凍機では二次冷媒としてのブラインを冷却して高温側の冷却ブラインを生成し、低温側の冷凍機では上記高温側の冷凍機から供給される高温側の冷却ブラインを二次冷媒としてこれを冷却して低温側の冷却ブラインを生成するように構成されたことを特徴としている。
【００１６】
本願の第５の発明では、上記第４の発明に係る急速冷凍装置において、上記高温側の冷凍機の蒸発側熱交換器と上記低温側の冷凍機の蒸発側熱交換器を、共に傾斜配置されたパネル熱交換器で構成し、該各パネル熱交換器の上面に二次冷媒としてのブラインを流すことを特徴としている。
【００１７】
本願の第６の発明では、上記第４又は第５の発明に係る急速冷凍装置において、上記凍結手段による上記被冷凍物の移動方向の前方側に上記冷却ブライン供給手段から上記凍結槽への冷却ブラインの供給位置を、上記被冷凍物の移動方向の手前側に該凍結槽内の凍結処理用ブラインの排出位置をそれぞれ設定したことを特徴としている。
【００１８】
本願の第７の発明では、上記第４、第５又は第６の発明に係る急速冷凍装置において、上記凍結手段の前段側に、上記被冷凍物の余熱を除去する余熱除去手段を設けたことを特徴としている。
【発明の効果】
【００１９】
（ａ）本願の第１の発明
本願の第１の発明に係る急速冷凍方法によれば、凍結槽に貯留された凍結処理用ブライン内に被冷凍物を浸漬させて該被冷凍物を急速に凍結させるに際し、固体粒子を含むシャーベット状の２種類の温度の異なる冷却ブラインを用意し、これら２種類の冷却ブラインを適宜量ずつ上記凍結槽内の凍結処理用ブラインに供給するようにしているので、上記凍結処理用ブラインに２種類の冷却ブラインを適宜量ずつ供給することによって、該凍結処理用ブラインの温度を常時略一定に精度良く保持することができる。この結果、凍結処理用ブラインへの浸漬によって凍結される被冷凍物は、その凍結処理が略一定温度の下で急速に行われることから、氷結晶が小さくなり細胞破壊が可及的に防止され、その凍結品質が向上することになる。
【００２０】
また、被冷凍物を略一定温度の凍結処理用ブラインによって凍結させることから、例えば、凍結処理用ブラインが凍結処理の進行に伴って昇温変化する場合に比して、凍結時間の短縮化が促進され、延いては、凍結コストの低減が図れる。
【００２１】
さらに、上記凍結処理用ブラインに供給される２種類の温度の異なる冷却ブラインは、共に固体粒子を含むシャーベット状とされていることから、これら各冷却ブラインは上記凍結処理用ブラインへの供給前においては、固体粒子の溶解潜熱によって所定温度を維持し易くなっている。したがって、これら温度の異なる２種類の冷却ブラインを上記凍結処理用ブラインに供給してその温度調整を行う場合における調整精度が高められ、延いては、被冷凍物の凍結品質の向上効果がさらに促進される。
ここで、冷却ブラインが固体粒子を含むシャーベット状であるとは、エタノールや水からなる冷却ブラインが、これらの固体粒子と液体とが混ざった状態であることをいい、固体粒子の含有割合が低く液体の含有割合が高いために液体と略同等の流動性を示す状態のものから、固体粒子の含有割合が高く液体の含有割合が低いために流動性が低下した状態のものまでを広く含む。但し、固体粒子の含有割合が高過ぎて管路内の移送に支障を生ずるような状態のものは含まない。
なお、上記凍結処理用ブラインは固体粒子を含むシャーベット状である必要はなく、完全な液体の状態で良い。
【００２２】
また、上記２種類の冷却ブラインは、まず二次冷媒としてのブラインを冷却して高温側の冷却ブラインを生成し、次いで上記高温側の冷却ブラインを二次冷媒としてこれを冷却して低温側の冷却ブラインを生成することで用意されるようにしているので、大きな温度差をもつ２種類の冷却ブラインを得ることができ、これら２種類の冷却ブラインを適宜量ずつ上記凍結処理用ブラインに供給して該凍結処理用ブラインの温度を調整する場合における調整温度幅をより大きくとることができ、被冷凍物の種類に応じた凍結状態を得ることが可能となる。
【００２３】
（ｂ）本願の第２の発明
本願の第２の発明に係る急速冷凍方法によれば、上記（ａ）に記載の効果に加えて以下のような特有の効果が得られる。即ち、この発明では、上記凍結槽内の凍結処理用ブラインに、上記冷却ブラインの供給位置から一定方向への流れを発生させ、該凍結処理用ブラインに浸漬される上記被冷凍物を上記凍結処理用ブラインの流れに対向する方向へ移動させるようにしているので、上記凍結槽内の凍結処理用ブラインには、その流れ方向の上流側、即ち、上記冷却ブライン供給位置側から流れ方向下流側に向かって温度が次第に高くなるような温度勾配が生じる。従って、上記被冷凍物は、凍結処理用ブライン内を、その温度の高い側から低い側へ向けて移動することになる。
【００２４】
この結果、凍結処理用ブラインの温度勾配と被冷凍物の温度変化状態が対応し、該被冷凍物はその温度が高い状態では比較的高温側の凍結処理用ブラインによって冷却が開始されるとともに、その温度変化（降温変化）の進行に伴って次第に低温側の凍結処理用ブラインによって冷却されることから、熱損失の少ない（即ち、凍結処理用ブラインの温度上昇の少ない）効率的な凍結作用が実現され、延いては冷凍コストの低廉化が図れることになる。
【００２５】
（ｃ）本願の第３の発明
本願の第３の発明では、上記（ａ）又は（ｂ）に記載の効果に加えて以下のような特有の効果が得られる。即ち、この発明では、上記被冷凍物の余熱を、上記凍結処理用ブラインへの浸漬による凍結処理に先立って除去するようにしているので、凍結処理用ブラインでの熱損失が少なく（即ち、凍結処理用ブラインの温度上昇が少なく）効率的な凍結作用が実現される。また、被冷凍物が余熱をもったまま凍結処理用ブラインに浸漬される場合に比して、凍結時間の短縮化が促進され、冷凍コストの低減が図れる。
【００２６】
（ｄ）本願の第４の発明
本願の第４の発明に係る急速冷凍装置によれば、凍結処理用ブラインが貯留された凍結槽と、該凍結処理用ブライン内に被冷凍物を浸漬状態で移動させることでこれを凍結させる凍結手段と、ブラインを冷却して固体粒子を含むシャーベット状の２種類の温度の異なる冷却ブラインを生成する冷却ブライン生成手段と、上記２種類の冷却ブラインを上記凍結槽内の凍結処理用ブラインに供給する冷却ブライン供給手段と、上記凍結槽内の凍結処理用ブラインの温度に応じて上記冷却ブライン供給手段による上記２種類の冷却ブラインの供給割合を調整する供給量調整手段を備えているので、上記冷却ブライン生成手段で生成された温度の異なる２種類の冷却ブラインを上記冷却ブライン供給手段から上記凍結槽の凍結処理用ブライン内に供給するとともに、この２種類の冷却ブラインの上記凍結処理用ブラインへの供給割合を、該凍結処理用ブラインの温度に応じて上記供給量調整手段によって調整することで、該凍結処理用ブラインの温度を略一定に保持することが可能となる。
【００２７】
このように、凍結処理用ブラインの温度を略一定に保持できることで、例えば、被冷凍物はその凍結作用が略一定温度の下で行われることから、凍結に伴う被冷凍物内の氷結晶が小さくなりその細胞破壊が可及的に防止され、これにより被冷凍物の凍結品質が向上する。
【００２８】
また、被冷凍物を略一定温度の凍結処理用ブラインによって凍結させることから、例えば、凍結処理用ブラインが凍結処理の進行に伴って昇温変化するような場合に比して、凍結時間の短縮化が促進され、延いては、凍結コストの低減が図れる。
【００２９】
さらに、上記凍結処理用ブラインに供給される２種類の温度の異なる冷却ブラインは、共に固体粒子を含むシャーベット状とされていることから、これら各冷却ブラインは上記凍結処理用ブラインへの供給前においては、固体粒子の溶解潜熱によって所定温度を維持し易い。このため、これら２種類の温度の異なる冷却ブラインの供給による上記凍結処理用ブラインの温度調整の精度を高めることができ、その結果、被冷凍物の凍結品質の向上効果がさらに促進される。
【００３０】
また、この発明では、上記冷却ブライン生成手段を、高温側の冷凍機と低温側の冷凍機を備え、高温側の冷凍機では二次冷媒としてのブラインを冷却して高温側の冷却ブラインを生成し、低温側の冷凍機では上記高温側の冷凍機から供給される高温側の冷却ブラインを二次冷媒としてこれを冷却して低温側の冷却ブラインを生成するように構成したので、大きな温度差をもつ２種類の冷却ブラインを得ることができ、これら２種類の冷却ブラインを適宜割合で上記凍結処理用ブラインに供給して該凍結処理用ブラインの温度を調整する場合における調整温度幅をより大きくとることができ、被冷凍物の種類に応じた凍結状態を得ることが可能となる。
【００３１】
（ｅ）本願の第５の発明
本願の第５の発明では、上記（ｄ）に記載の効果に加えて以下のような特有の効果が得られる。即ち、この発明では、上記高温側の冷凍機の蒸発側熱交換器と上記低温側の冷凍機の蒸発側熱交換器を、共に傾斜配置されたパネル熱交換器で構成し、該各パネル熱交換器の上面に二次冷媒としてのブラインを流すようにしているので、該パネル熱交換器でのブラインの冷却効率が高く、より短時間で所要温度の冷却ブラインを得ることができるとともに、該パネル熱交換器の上面におけるブラインの冷却状態、例えば、シャーベット状のブラインにおける固体粒子の生成状態等を目視にて確認することができる。
【００３２】
（ｆ）本願の第６の発明
本願の第６の発明では、上記（ｄ）又は（ｅ）に記載の効果に加えて以下のような特有の効果が得られる。即ち、この発明では、上記凍結手段による上記被冷凍物の移動方向の前方側に上記冷却ブライン供給手段から上記凍結槽への冷却ブラインの供給位置を、上記被冷凍物の移動方向の手前側に該凍結槽内の凍結処理用ブラインの排出位置をそれぞれ設定しているので、上記凍結槽内の凍結処理用ブラインには、上記冷却ブライン供給位置側から凍結処理用ブラインの排出位置側へ向かう流れが生成され、この流れ方向の上流側から下流側に向かって温度が次第に高くなるような温度勾配が生じ、被冷凍物は凍結処理用ブライン内を、その温度の高い側から低い側へ向けて移動することになる。
【００３３】
したがって、凍結処理用ブラインの温度勾配と被冷凍物の温度変化状態が対応し、該被冷凍物はその温度が高い状態では比較的高温側の凍結処理用ブラインによって冷却が開始されるとともに、その温度変化（降温変化）に伴って次第に低温側の凍結処理用ブラインによって冷却されて凍結されることとなり、熱損失の少ない（即ち、凍結処理用ブラインの温度上昇の少ない）効率的な凍結作用が実現され、延いては冷凍コストの低廉化が図れることになる。
【００３４】
（ｇ）本願の第７の発明
本願の第７の発明では、上記（ｄ）、（ｅ）又は（ｆ）に記載の効果に加えて以下のような特有の効果が得られる。即ち、この発明では、上記凍結手段の前段側に、上記被冷凍物の余熱を除去する余熱除去手段を設けているので、該被冷凍物は余熱が除去され、温度が下がった状態で上記凍結槽の凍結処理用ブライン内に浸漬されて冷却されることから、該凍結処理用ブラインの温度上昇を低く抑えることができる。
【図面の簡単な説明】
【００３５】
【図１】本願発明の実施形態に係る急速冷凍装置のシステム構成図である。
【発明を実施するための形態】
【００３６】
図１には、本願発明の実施形態に係る急速冷凍装置Ｚのシステム構成図を示している。この急速冷凍装置Ｚは、食品等の被冷凍物５０を、低温のブラインによって急速に冷却してこれを凍結させるものであって、低温に冷却された冷却ブライン５１，５２を生成する第１冷凍機１と第２冷凍機２からなる冷却ブライン生成手段Ａと、凍結処理用ブラインを貯留した凍結槽４を備えた凍結手段Ｂと、上記各冷凍機１，２で生成された冷却ブライン５１，５２を上記凍結槽４に供給する冷却ブライン供給手段Ｃと、上記冷却ブライン供給手段Ｃによる冷却ブライン５１，５２の上記凍結槽４への供給量を調整する供給量調整手段Ｄと、被冷凍物５０の余熱を除去する余熱除去手段Ｅを備えて構成される。
【００３７】
「冷却ブライン生成手段Ａ」
上記冷却ブライン生成手段Ａは、常温のブラインを冷却して「約−５０℃」の高温側の冷却ブライン５１を生成する第１冷凍機１（特許請求の範囲中の「高温側の冷凍機」に該当する）と、上記第１冷凍機１において生成された冷却ブライン５１をさらに冷却して「約−７０℃」の低温側の冷却ブライン５２を生成する第２冷凍機２（特許請求の範囲中の「低温側の冷凍機」に該当する）を備えて構成される。なお、この実施形態では、上記ブライン（第１冷凍機１及び第２冷凍機２における二次冷媒）として、例えば、６５質量％の濃度のエチルアルコールを採用している。
【００３８】
ここで、図１では、第１冷凍機１として、その蒸発器として機能する熱交換器１２，１３（特許請求の範囲中の「蒸発側の熱交換器」に該当する）部分のみを図示し、他の冷凍サイクル構成部分の図示は省略している。そして、図示していないが、この冷凍サイクルは二次冷媒（この実施形態ではブライン）を「−５０℃」という極低温まで冷却させるものであるため、二元冷凍サイクルの冷凍機（即ち、沸点の異なる冷媒を用いた二つの冷凍サイクルを、熱交換器を介して結合した構成の冷凍機）を採用している。
【００３９】
また、上記第２冷凍機２においても、その蒸発器として機能する熱交換器２２，２３（特許請求の範囲中の「蒸発側熱交換器」に該当する）部分のみを図示し、他の冷凍サイクル構成部分の図示は省略している。そして、図示していないが、この冷凍サイクルは二次冷媒（この実施形態では上記第１冷凍機１で生成された冷却ブライン５１）を「−７０℃」という極低温まで冷却させるものであるため、上記第１冷凍機１と同様に、二元冷凍サイクルの冷凍機を採用している。このように、上記第２冷凍機２は、二次冷媒として上記第１冷凍機１で生成された冷却ブライン５１を用いることを除けば、上記第１冷凍機１の場合と同様の構成とされている。以下の説明においては、これら第１冷凍機１の熱交換器１２，１３、及び上記第２冷凍機２の熱交換器２２，２３部分のみを、便宜上、「第１冷凍機１」、「第２冷凍機２」と称する。
【００４０】
「第１冷凍機１」
上記第１冷凍機１には、熱交換室１１が設けられ、この熱交換室１１内には、扁平板状形体をもつパネル熱交換器で構成される熱交換器１２と熱交換器１３（共に、蒸発器として機能する）が、一方の熱交換器１２の下端側に他方の熱交換器１３が折り返して連続するように、該熱交換室１１の壁面にそれぞれ傾斜状態で配置されている。そして、上記熱交換室１１の上方で且つ上記熱交換器１２の上端側に開口した管路３１から導入されるブライン（後述の凍結槽４内に貯留され、凍結処理に供されて昇温した凍結処理用ブライン５３であって、例えば、−３５℃程度の温度をもつブライン）が供給される。
【００４１】
この熱交換器１２の上端側に供給される凍結処理用ブライン５３は、該熱交換器１２の上面に沿ってその上端側から下端側へ流下したのち、さらに上記熱交換器１３の上端側に落下し、該熱交換器１３の上面に沿ってその上端側から下端側に向けて流下し、該熱交換室１１の底部に一時貯留される。この場合、上記凍結処理用ブライン５３は、上記熱交換器１２の上面及び上記熱交換器１３の上面をこれに沿って流下する際に、該各熱交換器１２，１３内を流れる極低温の一次冷媒との熱交換によって急速に冷却され、「約−５０℃」の温度をもち且つ固体粒子を含むシャーベット状の冷却ブライン５１が生成される。
【００４２】
そして、この熱交換室１１内で生成された冷却ブライン５１は、該熱交換室１１の底部からその隣に設けられた貯留室１４側に流入し、ここに一時貯留される。この貯留室１４の底部には流量調整弁３７を備えた管路３２が接続されるとともに、該貯留室１４の壁部には、その下流端が上記第２冷凍機２の熱交換室２１の上部に開口する管路３０が設けられており、この管路３０を介して上記第１冷凍機１の貯留室１４と上記第２冷凍機２の熱交換室２１が連通される。
【００４３】
したがって、上記第１冷凍機１の貯留室１４に貯留された冷却ブライン５１は、その一部が上記管路３２を介して後述する凍結手段Ｂの凍結室３側に導出されるとともに、他の一部は上記管路３０を介して上記第２冷凍機２の熱交換室２１側へ導出され得る状態となっている。
【００４４】
「第２冷凍機２」
上記第２冷凍機２には、熱交換室２１が設けられ、この熱交換室２１内には、扁平板状形体をもつパネル熱交換器で構成される二つの熱交換器２２、２３が、一方の熱交換器２２の下端側に他方の熱交換器２３が折り返して連続するように、該熱交換室２１の壁面にそれぞれ傾斜状態で配置されている。そして、上記熱交換室２１の上方で且つ上記熱交換器２２の上端側に開口した上記管路３０から「約−５０℃」の温度をもつ上記冷却ブライン５１が供給される。
【００４５】
この熱交換器２２の上端側に供給される冷却ブライン５１は、該熱交換器２２の上面に沿ってその上端側から下端側へ流下したのち、さらに上記熱交換器２３の上端側に落下し、該熱交換器２３の上面に沿ってその上端側から下端側に向けて流下し、該熱交換室２１の底部に一時貯留される。この場合、上記冷却ブライン５１は、上記熱交換器２２の上面及び上記熱交換器２３の上面をこれに沿って流下する際に、該各熱交換器２２，２３内を流れる極低温の一次冷媒との熱交換によって急速に冷却され、「約−７０℃」の温度をもち且つ固体粒子を含むシャーベット状の冷却ブライン５２とされる。
【００４６】
そして、この熱交換室２１内で生成された冷却ブライン５２は、該熱交換室２１の底部からその隣に設けられた貯留室２４側に流入し、ここに一時貯留される。この貯留室２４の底部には、流量調整弁３８とポンプ４２を備え且つその下流端が上記管路３２の上記流量調整弁３７の下流側に合流する管路３４が接続されている。したがって、この第２冷凍機２の貯留室２４に貯留された冷却ブライン５２は、上記管路３４及び上記管路３２を介して上記凍結手段Ｂの凍結室３側に導出され得る状態となっている。
【００４７】
「冷却ブライン供給手段Ｃ」
上記冷却ブライン供給手段Ｃは、上述のように、上記冷却ブライン生成手段Ａの各冷凍機１，２で生成された冷却ブライン５１，５２を上記凍結槽４に供給するためのものであって、上記第１冷凍機１の貯留室１４と上記凍結手段Ｂの凍結室３を連結する上記管路３２と、上記第２冷凍機２の貯留室２４と上記管路３２を介して上記凍結手段Ｂの凍結室３を連結する管路３４で構成される。なお、上記管路３２に設けられた流量調整弁３７と上記管路３４に設けられた流量調整弁３８は、後述する供給量調整手段Ｄの構成部材の一つとなる。
【００４８】
「凍結手段Ｂ」
上記凍結手段Ｂは、所要容積をもつ凍結室３内に、凍結処理用ブライン５３が所要量貯留された横長の凍結槽４と、該凍結槽４内の凍結処理用ブライン５３中に浸漬状態で設けられて被冷凍物５０を上記凍結槽４の一端４ａ側から他端４ｂ側へ向けて移送する浸漬移送コンベア７を配置して構成される。また、上記浸漬移送コンベア７の前段側には被冷凍物５０を上記浸漬移送コンベア７側に搬入する搬入コンベア６が、後段側には上記浸漬移送コンベア７側から上記被冷凍物５０を搬出する搬出コンベア８が備えられている。さらに、上記凍結槽４の上部で、凍結処理用ブライン５３の液面直下位置には、上記浸漬移送コンベア７で移送される被冷凍物５０の浮上を阻止して凍結を促進させる浮上阻止板９が配置されている。
【００４９】
なお、上記凍結処理用ブライン５３の温度は、被冷凍物５０の種類とか大きさ等の条件によって、該被冷凍物５０を良好状態で凍結させるに最適な温度（最適凍結温度）に設定されるが、この実施形態ではこの最適凍結温度を「−３５℃」に設定している。
【００５０】
また、上記冷却ブライン生成手段Ａの上記管路３２は、上記凍結槽４の他端４ｂ寄り位置に開口され、ここから上記凍結槽４内に冷却ブライン５１，５２が供給される。一方、上記凍結槽４の一端４ａ寄りの底部には、凍結処理用ブライン５３の排出位置となる管路３６が設けられている。そして、この管路３６にはブライン貯留タンク５が取り付けられ、該ブライン貯留タンク５内の凍結処理用ブライン５３はポンプ４１により管路３１を介して上記冷却ブライン生成手段Ａの第１冷凍機１の熱交換室１１側に送給されるようになっている。
【００５１】
「供給量調整手段Ｄ」
上記供給量調整手段Ｄは、上述のように、上記冷却ブライン供給手段Ｃによる冷却ブライン５１，５２の上記凍結槽４への供給量を調整し、これによって上記凍結槽４内の凍結処理用ブライン５３の温度調整を行うものであって、上記冷却ブライン生成手段Ａの第１冷凍機１に設けられた温度センサ３９及び上記第２冷凍機２に設けられた温度センサ４０と、上記冷却ブライン供給手段Ｃの管路３２に設けられた流量調整弁３７及び上記管路３４に設けられた流量調整弁３８と、上記凍結手段Ｂの上記凍結槽４に設けられた温度センサ４５、及び制御装置２９を備えて構成される。
【００５２】
上記制御装置２９では、常時、上記冷却ブライン生成手段Ａ側の各温度センサ３９，４０と、上記凍結手段Ｂ側の上記温度センサ４５においてそれぞれ検出される温度信号を受けて、例えば、上記凍結槽４内の凍結処理用ブライン５３の温度が、予め設定した被冷凍物５０の最適凍結温度（例えば、−３５℃）から所定温度以上に上昇したとき、上記温度センサ３９で検出される温度をもつ上記第１冷凍機１側の冷却ブライン５１と、上記温度センサ４０で検出される温度をもつ上記第２冷凍機２側の冷却ブライン５２とを、所定割合で混合してこれを上記管路３２から上記凍結槽４内の凍結処理用ブライン５３に供給し、該凍結処理用ブライン５３の温度を上記最適凍結温度まで低下させる。これによって、上記凍結槽４内の凍結処理用ブライン５３は、常時被冷凍物５０の凍結に最適な温度に維持されることになる。
【００５３】
なお、上記冷却ブライン生成手段Ａの第１冷凍機１で生成される冷却ブライン５１は、該第１冷凍機１が２元冷凍サイクルで構成され、高温側サイクルと低温側サイクルそれぞれの一次冷媒の種類を選択することで二次冷媒を所定温度（この実施形態では−５０℃）とすべく制御されるが、例えば、冷却ブライン５１は上記貯留室１４内での貯留時間等によって温度変化するため、上記温度センサ３９で温度測定してその温度情報を用いることで上記供給量調整手段Ｄにおける供給量調整の精度を担保するものである。この点は、上記第２冷凍機２側において上記温度センサ４０で冷却ブライン５２の温度測定を行う場合も同様である。
【００５４】
「余熱除去手段Ｅ」
上記余熱除去手段Ｅは、上記凍結手段Ｂへの搬入に先立って、上記被冷凍物５０の余熱を除去し、該凍結手段Ｂでの凍結作用の効率化を図るものであって、この実施形態では、上記凍結室３の前段側に、上記凍結槽４の一端４ａ寄りの一部と上記搬入コンベア６の一部を覆うようにして余熱除去室１０を設け、上記凍結室３にブロア４３を備えた管路３５の一端を開口させるとともに、該管路３５の他端を上記余熱除去室１０内に配置し、且つその先端ノズル４４を取り付ける。そして、上記管路３５を通して上記凍結室３内の冷気を上記余熱除去室１０側に導入し、これを上記ノズル４４から噴出させるとともに、その噴流を上記搬入コンベア６によって移送されてくる被冷凍物５０に吹き付けることでこれを冷却し、その余熱を除去するようにしている。
【００５５】
なお、この余熱除去手段Ｅは、係る構成に限られるものではなく、例えば、上記冷却ブライン生成手段Ａで生成される冷却ブライン５１，５２を管路によって上記余熱除去室１０側へ導入し、これをノズルによって噴流として噴出させて上記被冷凍物５０を冷却し、その余熱を除去することもできる。
【００５６】
「急速冷凍装置Ｚの動作説明等」
以上のように構成された急速冷凍装置Ｚは以下のように動作する。
【００５７】
上記凍結手段Ｂの上記凍結槽４には、最適凍結温度（約−３５℃）に温度設定された凍結処理用ブライン５３が所要量投入されている。この凍結槽４の凍結処理用ブライン５３内に、上記搬入コンベア６によって移送される被冷凍物５０が、余熱除去手段Ｅにおいて余熱が除去された状態で、順次浸漬される。そして、この被冷凍物５０は、上記浸漬移送コンベア７によって該凍結槽４の一端４ａ側から他端４ｂ側へ移動される間に、該凍結処理用ブライン５３によって冷却されて凍結する。凍結された被冷凍物５０は、上記搬出コンベア８によって次工程へ搬出される。
【００５８】
一方、上記凍結槽４内の凍結処理用ブライン５３は、上記ブライン貯留タンク５を介して上記冷却ブライン生成手段Aの第１冷凍機１の熱交換室１１側へ導入され、ここで「約−５０℃」の固体粒子を含むシャーベット状の冷却ブライン５１とされ、その一部は貯留室１４内に貯留されるが、他の一部はさらに上記第２冷凍機２の熱交換室２１側へ導入され、ここで「約−７０℃」の固体粒子を含むシャーベット状の冷却ブライン５２とされ、貯留室２４内に貯留される。
【００５９】
上記凍結槽４における凍結処理の進行に伴って、その凍結処理用ブライン５３は、例えば、被冷凍物５０側からの吸熱によって次第に温度が上昇し、これが上記最適凍結温度以上に達すると、上記供給量調整手段Ｄが作動し、該凍結処理用ブライン５３の最適凍結温度への復帰操作が開始される。即ち、上記制御装置２９において、上記第１冷凍機１の冷却ブライン５１の温度と上記第２冷凍機２の冷却ブライン５２の温度及び上記凍結槽４内の凍結処理用ブライン５３の温度を受けて、該凍結処理用ブライン５３の温度を上記最適凍結温度「−３５℃」に復帰させるべく、「−５０℃」の冷却ブライン５１と「−７０℃」の冷却ブライン５２の混合割合を算出し、この算出割合に基いて上記冷却ブライン５１と冷却ブライン５２を混合させ、これを上記凍結槽４の他端４ｂ側に供給する。すると、該凍結槽４内の凍結処理用ブライン５３は、新たに供給される冷却ブライン５１，５２によってその温度が下げられ、上記最適凍結温度「−３５℃」に復帰され、これによって上記被冷凍物５０の最適状態での凍結処理が継続されるものである。
【００６０】
このように構成され、且つ動作する上記急速冷凍装置Ｚにおいては、以下のような特有の作用効果が得られる。
【００６１】
（１）この急速冷凍装置Ｚでは、上記凍結槽４に貯留された凍結処理用ブライン５３内に被冷凍物５０を浸漬させて該被冷凍物５０を急速に凍結させるに際し、固体粒子を含むシャーベット状の２種類の温度の異なる冷却ブライン５１，５２を用意し、これら２種類の冷却ブライン５１，５２を適宜量ずつ上記凍結槽４内の凍結処理用ブライン５３に供給するようにしているので、該凍結処理用ブライン５３の温度を常時略一定に精度良く保持することができ、この結果、凍結処理用ブライン５３への浸漬によって凍結される被冷凍物５０は、その凍結処理が略一定温度の下で急速行われることから、氷結晶が小さくなり、凍結に伴う細胞破壊が可及的に防止されるなど、その凍結品質が向上することになる。
【００６２】
（２）被冷凍物５０を略一定温度の凍結処理用ブライン５３によって凍結させることから、例えば、凍結処理用ブライン５３が凍結処理の進行に伴って昇温変化する場合に比して、凍結時間の短縮化が促進され、延いては、凍結コストの低減が図れる。
【００６３】
（３）上記凍結処理用ブライン５３に供給される２種類の温度の異なる冷却ブライン５１，５２は、共に固体粒子を含むシャーベット状とされていることから、これら各冷却ブライン５１，５２は上記凍結処理用ブライン５３への供給前においては、固体粒子の溶解潜熱によって所定温度を維持し易い。このため、これら２種類の温度の異なる冷却ブライン５１，５２の供給による上記凍結処理用ブライン５３の温度調整の精度が高められ、その結果、被冷凍物５０の凍結品質の向上効果がさらに促進される。
【００６４】
（４）上記凍結槽４の他端４ｂ寄り位置に上記冷却ブライン５１，５２の供給位置を設定するとともに、該凍結槽４の一端４ａ寄りに該凍結槽４内の凍結処理用ブライン５３の排出位置（管路３６）を設けることで、該凍結槽４内の凍結処理用ブライン５３に、該凍結槽４の他端４ｂ側から一端４ａ側へ向かう流れを発生させているので、上記凍結槽４内の凍結処理用ブライン５３には、その流れ方向の上流側（上記凍結槽４の他端４ｂ側）から流れ方向下流側（上記凍結槽４の一端４ａ側）に向かって温度が次第に高くなるような温度勾配が生じることになる。
【００６５】
一方、上記凍結槽４内の凍結処理用ブライン５３に浸漬される上記被冷凍物５０は、該凍結槽４の一端４ａ側から他端４ｂ側へ向けて移動される。即ち、凍結処理用ブライン５３の流れに対向する方向へ移動される。
【００６６】
このように、上記凍結処理用ブライン５３の流れ方向と上記被冷凍物５０の移動方向が対向することで、凍結処理用ブライン５３の温度勾配と被冷凍物５０の温度変化状態が対応し、該被冷凍物５０はその温度が高い状態では比較的高温側の凍結処理用ブライン５３によって冷却が開始されるとともに、その温度変化（降温変化）に伴って次第に低温側の凍結処理用ブライン５３によって冷却されて凍結されることから、熱損失の少ない（即ち、凍結処理用ブライン５３の温度上昇の少ない）効率的な凍結作用が実現され、延いては冷凍コストの低廉化が図れることになる。
【００６７】
（５）上記被冷凍物５０の余熱を、上記凍結処理用ブライン５３への浸漬に先立って除去するようにしているので、凍結処理用ブライン５３での熱損失が少なく（即ち、凍結処理用ブライン５３の温度上昇が少なく）効率的な凍結作用が実現される。また、被冷凍物が余熱をもったまま凍結処理用ブライン５３に浸漬される場合に比して、凍結時間の短縮化が促進され、冷凍コストの低減が図れる。
【００６８】
（６）上記冷却ブライン生成手段Ａを、高温側の第１冷凍機１と低温側の第２冷凍機２を備え、上記第１冷凍機１では二次冷媒としての凍結処理用ブライン５３を冷却して高温側の冷却ブライン５１を生成し、上記第２冷凍機２では上記第１冷凍機１から供給される高温側の冷却ブライン５１を二次冷媒としてこれを冷却して低温側の冷却ブライン５２を生成するように構成しているので、大きな温度差をもつ２種類の冷却ブライン５１，５２を得ることができ、その結果、これら２種類の冷却ブライン５１，５２を適宜割合で上記凍結処理用ブライン５３に供給して該凍結処理用ブライン５３の温度を調整する場合において、温度調整幅がより大きくとれ、被冷凍物５０の種類形状等に応じた最適な凍結状態を得ることが可能となる。
【００６９】
（７）高温側の第１冷凍機１の熱交換器１２，１３と低温側の第２冷凍機２の熱交換器２２，２３を、共に傾斜配置されたパネル熱交換器で構成し、該熱交換器１２，１３、同２２，２３の上面に二次冷媒としての凍結処理用ブライン５３あるいは冷却ブライン５１を流すようにしているので、該各熱交換器１２，１３、同２２，２３での冷却効率が高く、より短時間で所要温度の冷却ブライン５１，５２を得ることができるとともに、該各熱交換器１２，１３、同２２，２３の上面における冷却状態、例えば、シャーベット状のブラインにおける固体粒子の生成状態等を目視にて確認することができる。
【産業上の利用可能性】
【００７０】
本願発明に係る急速冷凍方法及び急速冷凍装置は、食品等の被冷凍物の急速冷凍分野において利用されるものである。
【符号の説明】
【００７１】
１  ・・第１冷凍機
２  ・・第２冷凍機
３  ・・凍結室
４  ・・凍結槽
５  ・・ブライン貯留タンク
６  ・・搬入コンベア
７  ・・浸漬移送コンベア
８  ・・搬出コンベア
９  ・・浮上阻止板
１０  ・・余熱除去室
１１  ・・熱交換室
１２  ・・熱交換器
１３  ・・熱交換器
１４  ・・貯留室
２１  ・・熱交換室
２２  ・・熱交換器
２３  ・・熱交換器
２４  ・・貯留室
５０  ・・被冷凍物
５１  ・・冷却ブライン
５２  ・・冷却ブライン
５３  ・・凍結処理用ブライン
Ａ  ・・冷却ブライン生成手段
Ｂ  ・・凍結手段
Ｃ  ・・冷却ブライン供給手段
Ｄ  ・・供給量調整手段
Ｅ  ・・余熱除去手段
Ｚ  ・・急速冷凍装置
【手続補正書】
【提出日】平成29年2月21日(2017.2.21)
【手続補正１】
【補正対象書類名】特許請求の範囲
【補正対象項目名】全文
【補正方法】変更
【補正の内容】
【特許請求の範囲】
【請求項１】
凍結槽に貯留された凍結処理用ブライン内に被冷凍物を浸漬させて該被冷凍物を急速に凍結させるに際し、
固体粒子を含むシャーベット状の２種類の温度の異なる冷却ブラインを用意し、これら２種類の冷却ブラインを適宜量ずつ上記凍結槽内の凍結処理用ブラインに供給する急速冷凍方法であって、
上記２種類の冷却ブラインは、まず高温側の冷凍機によって二次冷媒としてのブラインを冷却して高温側の冷却ブラインを生成し、次いで上記高温側の冷凍機から供給される高温側の冷却ブラインを二次冷媒としてこれを低温側の冷凍機によって冷却して低温側の冷却ブラインを生成することで用意されることを特徴とする急速冷凍方法。
【請求項２】
請求項１において、
上記凍結槽内の凍結処理用ブラインに、上記冷却ブラインの供給位置から一定方向への流れを発生させ、該凍結処理用ブラインに浸漬される上記被冷凍物を上記凍結処理用ブラインの流れに対向する方向へ移動させることを特徴とする急速冷凍方法。
【請求項３】
請求項１又は２において、
上記被冷凍物は、上記凍結処理用ブラインへの浸漬による凍結処理に先立って、その余熱が除去されることを特徴とする急速冷凍方法。
【請求項４】
凍結処理用ブラインが貯留された凍結槽と、
該凍結処理用ブライン内に被冷凍物を浸漬状態で移動させることでこれを凍結させる凍結手段と、
ブラインを冷却して固体粒子を含むシャーベット状の２種類の温度の異なる冷却ブラインを生成する冷却ブライン生成手段と、
上記２種類の冷却ブラインを上記凍結槽内の凍結処理用ブラインに供給するブライン供給手段と、
上記凍結槽内の凍結処理用ブラインの温度に応じて上記ブライン供給手段による上記２種類の冷却ブラインの供給割合を調整するブライン供給量調整手段と、
を備えた急速冷凍装置であって、
上記冷却ブライン生成手段が、高温側の冷凍機と低温側の冷凍機を備え、高温側の冷凍機では二次冷媒としてのブラインを冷却して高温側の冷却ブラインを生成し、低温側の冷凍機では上記高温側の冷凍機から供給される高温側の冷却ブラインを二次冷媒としてこれを冷却して低温側の冷却ブラインを生成するように構成されたことを特徴とする急速冷凍装置。
【請求項５】
請求項４において、
上記高温側の冷凍機の蒸発側熱交換器と上記低温側の冷凍機の蒸発側熱交換器が、共に傾斜配置されたパネル熱交換器で構成され、該各パネル熱交換器の上面に二次冷媒としてのブラインが流されることを特徴とする急速冷凍装置。
【請求項６】
請求項４又は５において、
上記凍結手段による上記被冷凍物の移動方向の前方側に上記ブライン供給手段から上記凍結槽への冷却ブラインの供給位置が、上記被冷凍物の移動方向の手前側に該凍結槽内の凍結処理用ブラインの排出位置がそれぞれ設定されていることを特徴とする急速冷凍装置。
【請求項７】
請求項４、５又は６において、
上記凍結手段の前段側に、上記被冷凍物の余熱を除去する余熱除去手段が設けられていることを特徴とする急速冷凍装置。
【手続補正２】
【補正対象書類名】明細書
【補正対象項目名】全文
【補正方法】変更
【補正の内容】
【発明の詳細な説明】
【技術分野】
【０００１】
本願発明は、食品等の被冷凍物を急速冷凍する際に用いられる急速冷凍方法、及び急速冷凍装置に関するものである。
【背景技術】
【０００２】
食品を長期に亘って保存する手段として、常温下にある食品を凍結させて保存する冷凍保存が知られている。また、この常温下にある食品を凍結させる場合、食品中の水分が氷に変化する際の体積膨張によって食品の細胞が壊され、食品の味とか食感が損なわれることから、凍結に伴う氷の結晶をできるだけ小さくして細胞破壊作用を抑制すること、即ち、凍結速度を早くし、食品の氷結晶生成温度帯（−５℃〜−１℃の範囲）をより短時間で通過させることが必要であり、これを実現する手法として、急速冷凍法が提案されている（例えば、特許文献１、特許文献２  参照）。
【０００３】
特許文献１に示される食品冷凍法は、密閉不凍液槽内で、ブラインとしてのエチルアルコール水溶液を−３０℃〜−５０℃に冷却するとともに、この冷却されたブラインを噴流撹拌機により噴流撹拌し、この冷却ブラインの撹拌噴流中に食品等の被冷凍物を浸漬し、該被冷凍物の周囲から包み込むように噴流を作用させてこれを均等に冷却して凍結させるものである。
【０００４】
特許文献２には、ブラインとして、−３０℃〜−１３５℃のメタノール、エタノールなどのアルコール、アセトン、又はエチレングリコールなどを用いて、被冷凍物を急速冷凍する技術が示されている。
【先行技術文献】
【特許文献】
【０００５】
【特許文献１】特公平７−２８７１０号公報
【特許文献２】特開平１０−１７９１０５号公報
【発明の概要】
【発明が解決しようとする課題】
【０００６】
ところで、食品等の急速冷凍では、上掲技術にも示されるように、低温のブライン内に食品を浸漬させて行うことから、凍結された被冷凍物の品質を一定状態に保持するためには、凍結作用中を通してブラインの温度が略一定に保持されることが必要となる。
【０００７】
しかし、特許文献１の急速冷凍方法は、バッチ方式で急速冷凍作用を行わせる構成であることから、一回の凍結処理の間にブラインの温度が、被冷凍物からの受熱によって次第に上昇変化し、氷結晶が大きくなり、凍結に伴う細胞破壊が進むなど、凍結品質（凍結後における被冷凍物の主として組成的な品質）が低下することが懸念される。
【０００８】
一方、特許文献２の急速冷凍方法では、その記載からバッチ方式で急速冷凍作用を行わせる構成であると考えられ、しかもこの急速冷凍時に、被凍結物中の水のクラスターを小さくして凍結に伴う細胞破壊作用を抑制する観点から、トルマリン、ブラックシリカ等のエネルギ伝達物質をブラインに混合させるようにしている。しかし、この場合も、特許文献１の場合と同様に、被凍結物及びエネルギ伝達物質からの受熱によってブラインの温度が次第に上昇変化することから、上記エネルギ伝達物質を混合した効果が減殺され、凍結品質が低下することが懸念される。
【０００９】
即ち、被冷凍物の凍結処理中におけるブラインの温度を一定に保持して被冷凍物の凍結品質を良好に維持するための技術は未だ提案されておらず、係る技術の開発が要請されるところである。
【００１０】
そこで本願発明は、上記要請に応えるべく、凍結槽内のブラインの温度を略一定に保持して被冷凍物の凍結品質を確保する急速冷凍方法及び急速冷凍装置を提案することを目的としてなされたものである。
【課題を解決するための手段】
【００１１】
本願発明ではかかる課題を解決するための具体的手段として次のような構成を採用している。
【００１２】
本願の第１の発明に係る急速冷凍方法では、凍結槽に貯留された凍結処理用ブライン内に被冷凍物を浸漬させて該被冷凍物を急速に凍結させるに際し、固体粒子を含むシャーベット状の２種類の温度の異なる冷却ブラインを用意し、これら２種類の冷却ブラインを適宜量ずつ上記凍結槽内の凍結処理用ブラインに供給する急速冷凍方法であって、上記２種類の冷却ブラインは、まず高温側の冷凍機によって二次冷媒としてのブラインを冷却して高温側の冷却ブラインを生成し、次いで上記高温側の冷凍機から供給される高温側の冷却ブラインを二次冷媒としてこれを低温側の冷凍機によって冷却して低温側の冷却ブラインを生成することで用意されることを特徴としている。
【００１３】
本願の第２の発明では、上記第１の発明に係る急速冷凍方法において、上記凍結槽内の凍結処理用ブラインに、上記冷却ブラインの供給位置から一定方向への流れを発生させ、該凍結処理用ブラインに浸漬される上記被冷凍物を上記凍結処理用ブラインの流れに対向する方向へ移動させることを特徴としている。
【００１４】
本願の第３の発明では、上記第１又は第２の発明に係る急速冷凍方法において、上記被冷凍物の余熱を、上記凍結処理用ブラインへの浸漬による凍結処理に先立って除去することを特徴としている。
【００１５】
本願の第４の発明に係る急速冷凍装置では、凍結処理用ブラインが貯留された凍結槽と、該凍結処理用ブライン内に被冷凍物を浸漬状態で移動させることでこれを凍結させる凍結手段と、ブラインを冷却して固体粒子を含むシャーベット状の２種類の温度の異なる冷却ブラインを生成する冷却ブライン生成手段と、上記２種類の冷却ブラインを上記凍結槽内の凍結処理用ブラインに供給する冷却ブライン供給手段と、上記凍結槽内の凍結処理用ブラインの温度に応じて上記冷却ブライン供給手段による上記２種類の冷却ブラインの供給割合を調整する供給量調整手段を備えた急速冷凍装置であって、上記冷却ブライン生成手段が、高温側の冷凍機と低温側の冷凍機を備え、高温側の冷凍機では二次冷媒としてのブラインを冷却して高温側の冷却ブラインを生成し、低温側の冷凍機では上記高温側の冷凍機から供給される高温側の冷却ブラインを二次冷媒としてこれを冷却して低温側の冷却ブラインを生成するように構成されたことを特徴としている。
【００１６】
本願の第５の発明では、上記第４の発明に係る急速冷凍装置において、上記高温側の冷凍機の蒸発側熱交換器と上記低温側の冷凍機の蒸発側熱交換器を、共に傾斜配置されたパネル熱交換器で構成し、該各パネル熱交換器の上面に二次冷媒としてのブラインを流すことを特徴としている。
【００１７】
本願の第６の発明では、上記第４又は第５の発明に係る急速冷凍装置において、上記凍結手段による上記被冷凍物の移動方向の前方側に上記冷却ブライン供給手段から上記凍結槽への冷却ブラインの供給位置を、上記被冷凍物の移動方向の手前側に該凍結槽内の凍結処理用ブラインの排出位置をそれぞれ設定したことを特徴としている。
【００１８】
本願の第７の発明では、上記第４、第５又は第６の発明に係る急速冷凍装置において、上記凍結手段の前段側に、上記被冷凍物の余熱を除去する余熱除去手段を設けたことを特徴としている。
【発明の効果】
【００１９】
（ａ）本願の第１の発明
本願の第１の発明に係る急速冷凍方法によれば、凍結槽に貯留された凍結処理用ブライン内に被冷凍物を浸漬させて該被冷凍物を急速に凍結させるに際し、固体粒子を含むシャーベット状の２種類の温度の異なる冷却ブラインを用意し、これら２種類の冷却ブラインを適宜量ずつ上記凍結槽内の凍結処理用ブラインに供給するようにしているので、上記凍結処理用ブラインに２種類の冷却ブラインを適宜量ずつ供給することによって、該凍結処理用ブラインの温度を常時略一定に精度良く保持することができる。この結果、凍結処理用ブラインへの浸漬によって凍結される被冷凍物は、その凍結処理が略一定温度の下で急速に行われることから、氷結晶が小さくなり細胞破壊が可及的に防止され、その凍結品質が向上することになる。
【００２０】
また、被冷凍物を略一定温度の凍結処理用ブラインによって凍結させることから、例えば、凍結処理用ブラインが凍結処理の進行に伴って昇温変化する場合に比して、凍結時間の短縮化が促進され、延いては、凍結コストの低減が図れる。
【００２１】
さらに、上記凍結処理用ブラインに供給される２種類の温度の異なる冷却ブラインは、共に固体粒子を含むシャーベット状とされていることから、これら各冷却ブラインは上記凍結処理用ブラインへの供給前においては、固体粒子の溶解潜熱によって所定温度を維持し易くなっている。したがって、これら温度の異なる２種類の冷却ブラインを上記凍結処理用ブラインに供給してその温度調整を行う場合における調整精度が高められ、延いては、被冷凍物の凍結品質の向上効果がさらに促進される。
ここで、冷却ブラインが固体粒子を含むシャーベット状であるとは、エタノールや水からなる冷却ブラインが、これらの固体粒子と液体とが混ざった状態であることをいい、固体粒子の含有割合が低く液体の含有割合が高いために液体と略同等の流動性を示す状態のものから、固体粒子の含有割合が高く液体の含有割合が低いために流動性が低下した状態のものまでを広く含む。但し、固体粒子の含有割合が高過ぎて管路内の移送に支障を生ずるような状態のものは含まない。
なお、上記凍結処理用ブラインは固体粒子を含むシャーベット状である必要はなく、完全な液体の状態で良い。
【００２２】
また、上記２種類の冷却ブラインは、まず高温側の冷凍機によって二次冷媒としてのブラインを冷却して高温側の冷却ブラインを生成し、次いで上記高温側の冷凍機から供給される高温側の冷却ブラインを二次冷媒としてこれを低温側の冷凍機によって冷却して低温側の冷却ブラインを生成することで用意されるようにしているので、大きな温度差をもつ２種類の冷却ブラインを得ることができ、これら２種類の冷却ブラインを適宜量ずつ上記凍結処理用ブラインに供給して該凍結処理用ブラインの温度を調整する場合における調整温度幅をより大きくとることができ、被冷凍物の種類に応じた凍結状態を得ることが可能となる。
【００２３】
（ｂ）本願の第２の発明
本願の第２の発明に係る急速冷凍方法によれば、上記（ａ）に記載の効果に加えて以下のような特有の効果が得られる。即ち、この発明では、上記凍結槽内の凍結処理用ブラインに、上記冷却ブラインの供給位置から一定方向への流れを発生させ、該凍結処理用ブラインに浸漬される上記被冷凍物を上記凍結処理用ブラインの流れに対向する方向へ移動させるようにしているので、上記凍結槽内の凍結処理用ブラインには、その流れ方向の上流側、即ち、上記冷却ブライン供給位置側から流れ方向下流側に向かって温度が次第に高くなるような温度勾配が生じる。従って、上記被冷凍物は、凍結処理用ブライン内を、その温度の高い側から低い側へ向けて移動することになる。
【００２４】
この結果、凍結処理用ブラインの温度勾配と被冷凍物の温度変化状態が対応し、該被冷凍物はその温度が高い状態では比較的高温側の凍結処理用ブラインによって冷却が開始されるとともに、その温度変化（降温変化）の進行に伴って次第に低温側の凍結処理用ブラインによって冷却されることから、熱損失の少ない（即ち、凍結処理用ブラインの温度上昇の少ない）効率的な凍結作用が実現され、延いては冷凍コストの低廉化が図れることになる。
【００２５】
（ｃ）本願の第３の発明
本願の第３の発明では、上記（ａ）又は（ｂ）に記載の効果に加えて以下のような特有の効果が得られる。即ち、この発明では、上記被冷凍物の余熱を、上記凍結処理用ブラインへの浸漬による凍結処理に先立って除去するようにしているので、凍結処理用ブラインでの熱損失が少なく（即ち、凍結処理用ブラインの温度上昇が少なく）効率的な凍結作用が実現される。また、被冷凍物が余熱をもったまま凍結処理用ブラインに浸漬される場合に比して、凍結時間の短縮化が促進され、冷凍コストの低減が図れる。
【００２６】
（ｄ）本願の第４の発明
本願の第４の発明に係る急速冷凍装置によれば、凍結処理用ブラインが貯留された凍結槽と、該凍結処理用ブライン内に被冷凍物を浸漬状態で移動させることでこれを凍結させる凍結手段と、ブラインを冷却して固体粒子を含むシャーベット状の２種類の温度の異なる冷却ブラインを生成する冷却ブライン生成手段と、上記２種類の冷却ブラインを上記凍結槽内の凍結処理用ブラインに供給する冷却ブライン供給手段と、上記凍結槽内の凍結処理用ブラインの温度に応じて上記冷却ブライン供給手段による上記２種類の冷却ブラインの供給割合を調整する供給量調整手段を備えているので、上記冷却ブライン生成手段で生成された温度の異なる２種類の冷却ブラインを上記冷却ブライン供給手段から上記凍結槽の凍結処理用ブライン内に供給するとともに、この２種類の冷却ブラインの上記凍結処理用ブラインへの供給割合を、該凍結処理用ブラインの温度に応じて上記供給量調整手段によって調整することで、該凍結処理用ブラインの温度を略一定に保持することが可能となる。
【００２７】
このように、凍結処理用ブラインの温度を略一定に保持できることで、例えば、被冷凍物はその凍結作用が略一定温度の下で行われることから、凍結に伴う被冷凍物内の氷結晶が小さくなりその細胞破壊が可及的に防止され、これにより被冷凍物の凍結品質が向上する。
【００２８】
また、被冷凍物を略一定温度の凍結処理用ブラインによって凍結させることから、例えば、凍結処理用ブラインが凍結処理の進行に伴って昇温変化するような場合に比して、凍結時間の短縮化が促進され、延いては、凍結コストの低減が図れる。
【００２９】
さらに、上記凍結処理用ブラインに供給される２種類の温度の異なる冷却ブラインは、共に固体粒子を含むシャーベット状とされていることから、これら各冷却ブラインは上記凍結処理用ブラインへの供給前においては、固体粒子の溶解潜熱によって所定温度を維持し易い。このため、これら２種類の温度の異なる冷却ブラインの供給による上記凍結処理用ブラインの温度調整の精度を高めることができ、その結果、被冷凍物の凍結品質の向上効果がさらに促進される。
【００３０】
また、この発明では、上記冷却ブライン生成手段を、高温側の冷凍機と低温側の冷凍機を備え、高温側の冷凍機では二次冷媒としてのブラインを冷却して高温側の冷却ブラインを生成し、低温側の冷凍機では上記高温側の冷凍機から供給される高温側の冷却ブラインを二次冷媒としてこれを冷却して低温側の冷却ブラインを生成するように構成したので、大きな温度差をもつ２種類の冷却ブラインを得ることができ、これら２種類の冷却ブラインを適宜割合で上記凍結処理用ブラインに供給して該凍結処理用ブラインの温度を調整する場合における調整温度幅をより大きくとることができ、被冷凍物の種類に応じた凍結状態を得ることが可能となる。
【００３１】
（ｅ）本願の第５の発明
本願の第５の発明では、上記（ｄ）に記載の効果に加えて以下のような特有の効果が得られる。即ち、この発明では、上記高温側の冷凍機の蒸発側熱交換器と上記低温側の冷凍機の蒸発側熱交換器を、共に傾斜配置されたパネル熱交換器で構成し、該各パネル熱交換器の上面に二次冷媒としてのブラインを流すようにしているので、該パネル熱交換器でのブラインの冷却効率が高く、より短時間で所要温度の冷却ブラインを得ることができるとともに、該パネル熱交換器の上面におけるブラインの冷却状態、例えば、シャーベット状のブラインにおける固体粒子の生成状態等を目視にて確認することができる。
【００３２】
（ｆ）本願の第６の発明
本願の第６の発明では、上記（ｄ）又は（ｅ）に記載の効果に加えて以下のような特有の効果が得られる。即ち、この発明では、上記凍結手段による上記被冷凍物の移動方向の前方側に上記冷却ブライン供給手段から上記凍結槽への冷却ブラインの供給位置を、上記被冷凍物の移動方向の手前側に該凍結槽内の凍結処理用ブラインの排出位置をそれぞれ設定しているので、上記凍結槽内の凍結処理用ブラインには、上記冷却ブライン供給位置側から凍結処理用ブラインの排出位置側へ向かう流れが生成され、この流れ方向の上流側から下流側に向かって温度が次第に高くなるような温度勾配が生じ、被冷凍物は凍結処理用ブライン内を、その温度の高い側から低い側へ向けて移動することになる。
【００３３】
したがって、凍結処理用ブラインの温度勾配と被冷凍物の温度変化状態が対応し、該被冷凍物はその温度が高い状態では比較的高温側の凍結処理用ブラインによって冷却が開始されるとともに、その温度変化（降温変化）に伴って次第に低温側の凍結処理用ブラインによって冷却されて凍結されることとなり、熱損失の少ない（即ち、凍結処理用ブラインの温度上昇の少ない）効率的な凍結作用が実現され、延いては冷凍コストの低廉化が図れることになる。
【００３４】
（ｇ）本願の第７の発明
本願の第７の発明では、上記（ｄ）、（ｅ）又は（ｆ）に記載の効果に加えて以下のような特有の効果が得られる。即ち、この発明では、上記凍結手段の前段側に、上記被冷凍物の余熱を除去する余熱除去手段を設けているので、該被冷凍物は余熱が除去され、温度が下がった状態で上記凍結槽の凍結処理用ブライン内に浸漬されて冷却されることから、該凍結処理用ブラインの温度上昇を低く抑えることができる。
【図面の簡単な説明】
【００３５】
【図１】本願発明の実施形態に係る急速冷凍装置のシステム構成図である。
【発明を実施するための形態】
【００３６】
図１には、本願発明の実施形態に係る急速冷凍装置Ｚのシステム構成図を示している。この急速冷凍装置Ｚは、食品等の被冷凍物５０を、低温のブラインによって急速に冷却してこれを凍結させるものであって、低温に冷却された冷却ブライン５１，５２を生成する第１冷凍機１と第２冷凍機２からなる冷却ブライン生成手段Ａと、凍結処理用ブラインを貯留した凍結槽４を備えた凍結手段Ｂと、上記各冷凍機１，２で生成された冷却ブライン５１，５２を上記凍結槽４に供給する冷却ブライン供給手段Ｃと、上記冷却ブライン供給手段Ｃによる冷却ブライン５１，５２の上記凍結槽４への供給量を調整する供給量調整手段Ｄと、被冷凍物５０の余熱を除去する余熱除去手段Ｅを備えて構成される。
【００３７】
「冷却ブライン生成手段Ａ」
上記冷却ブライン生成手段Ａは、常温のブラインを冷却して「約−５０℃」の高温側の冷却ブライン５１を生成する第１冷凍機１（特許請求の範囲中の「高温側の冷凍機」に該当する）と、上記第１冷凍機１において生成された冷却ブライン５１をさらに冷却して「約−７０℃」の低温側の冷却ブライン５２を生成する第２冷凍機２（特許請求の範囲中の「低温側の冷凍機」に該当する）を備えて構成される。なお、この実施形態では、上記ブライン（第１冷凍機１及び第２冷凍機２における二次冷媒）として、例えば、６５質量％の濃度のエチルアルコールを採用している。
【００３８】
ここで、図１では、第１冷凍機１として、その蒸発器として機能する熱交換器１２，１３（特許請求の範囲中の「蒸発側の熱交換器」に該当する）部分のみを図示し、他の冷凍サイクル構成部分の図示は省略している。そして、図示していないが、この冷凍サイクルは二次冷媒（この実施形態ではブライン）を「−５０℃」という極低温まで冷却させるものであるため、二元冷凍サイクルの冷凍機（即ち、沸点の異なる冷媒を用いた二つの冷凍サイクルを、熱交換器を介して結合した構成の冷凍機）を採用している。
【００３９】
また、上記第２冷凍機２においても、その蒸発器として機能する熱交換器２２，２３（特許請求の範囲中の「蒸発側熱交換器」に該当する）部分のみを図示し、他の冷凍サイクル構成部分の図示は省略している。そして、図示していないが、この冷凍サイクルは二次冷媒（この実施形態では上記第１冷凍機１で生成された冷却ブライン５１）を「−７０℃」という極低温まで冷却させるものであるため、上記第１冷凍機１と同様に、二元冷凍サイクルの冷凍機を採用している。このように、上記第２冷凍機２は、二次冷媒として上記第１冷凍機１で生成された冷却ブライン５１を用いることを除けば、上記第１冷凍機１の場合と同様の構成とされている。以下の説明においては、これら第１冷凍機１の熱交換器１２，１３、及び上記第２冷凍機２の熱交換器２２，２３部分のみを、便宜上、「第１冷凍機１」、「第２冷凍機２」と称する。
【００４０】
「第１冷凍機１」
上記第１冷凍機１には、熱交換室１１が設けられ、この熱交換室１１内には、扁平板状形体をもつパネル熱交換器で構成される熱交換器１２と熱交換器１３（共に、蒸発器として機能する）が、一方の熱交換器１２の下端側に他方の熱交換器１３が折り返して連続するように、該熱交換室１１の壁面にそれぞれ傾斜状態で配置されている。そして、上記熱交換室１１の上方で且つ上記熱交換器１２の上端側に開口した管路３１から導入されるブライン（後述の凍結槽４内に貯留され、凍結処理に供されて昇温した凍結処理用ブライン５３であって、例えば、−３５℃程度の温度をもつブライン）が供給される。
【００４１】
この熱交換器１２の上端側に供給される凍結処理用ブライン５３は、該熱交換器１２の上面に沿ってその上端側から下端側へ流下したのち、さらに上記熱交換器１３の上端側に落下し、該熱交換器１３の上面に沿ってその上端側から下端側に向けて流下し、該熱交換室１１の底部に一時貯留される。この場合、上記凍結処理用ブライン５３は、上記熱交換器１２の上面及び上記熱交換器１３の上面をこれに沿って流下する際に、該各熱交換器１２，１３内を流れる極低温の一次冷媒との熱交換によって急速に冷却され、「約−５０℃」の温度をもち且つ固体粒子を含むシャーベット状の冷却ブライン５１が生成される。
【００４２】
そして、この熱交換室１１内で生成された冷却ブライン５１は、該熱交換室１１の底部からその隣に設けられた貯留室１４側に流入し、ここに一時貯留される。この貯留室１４の底部には流量調整弁３７を備えた管路３２が接続されるとともに、該貯留室１４の壁部には、その下流端が上記第２冷凍機２の熱交換室２１の上部に開口する管路３０が設けられており、この管路３０を介して上記第１冷凍機１の貯留室１４と上記第２冷凍機２の熱交換室２１が連通される。
【００４３】
したがって、上記第１冷凍機１の貯留室１４に貯留された冷却ブライン５１は、その一部が上記管路３２を介して後述する凍結手段Ｂの凍結室３側に導出されるとともに、他の一部は上記管路３０を介して上記第２冷凍機２の熱交換室２１側へ導出され得る状態となっている。
【００４４】
「第２冷凍機２」
上記第２冷凍機２には、熱交換室２１が設けられ、この熱交換室２１内には、扁平板状形体をもつパネル熱交換器で構成される二つの熱交換器２２、２３が、一方の熱交換器２２の下端側に他方の熱交換器２３が折り返して連続するように、該熱交換室２１の壁面にそれぞれ傾斜状態で配置されている。そして、上記熱交換室２１の上方で且つ上記熱交換器２２の上端側に開口した上記管路３０から「約−５０℃」の温度をもつ上記冷却ブライン５１が供給される。
【００４５】
この熱交換器２２の上端側に供給される冷却ブライン５１は、該熱交換器２２の上面に沿ってその上端側から下端側へ流下したのち、さらに上記熱交換器２３の上端側に落下し、該熱交換器２３の上面に沿ってその上端側から下端側に向けて流下し、該熱交換室２１の底部に一時貯留される。この場合、上記冷却ブライン５１は、上記熱交換器２２の上面及び上記熱交換器２３の上面をこれに沿って流下する際に、該各熱交換器２２，２３内を流れる極低温の一次冷媒との熱交換によって急速に冷却され、「約−７０℃」の温度をもち且つ固体粒子を含むシャーベット状の冷却ブライン５２とされる。
【００４６】
そして、この熱交換室２１内で生成された冷却ブライン５２は、該熱交換室２１の底部からその隣に設けられた貯留室２４側に流入し、ここに一時貯留される。この貯留室２４の底部には、流量調整弁３８とポンプ４２を備え且つその下流端が上記管路３２の上記流量調整弁３７の下流側に合流する管路３４が接続されている。したがって、この第２冷凍機２の貯留室２４に貯留された冷却ブライン５２は、上記管路３４及び上記管路３２を介して上記凍結手段Ｂの凍結室３側に導出され得る状態となっている。
【００４７】
「冷却ブライン供給手段Ｃ」
上記冷却ブライン供給手段Ｃは、上述のように、上記冷却ブライン生成手段Ａの各冷凍機１，２で生成された冷却ブライン５１，５２を上記凍結槽４に供給するためのものであって、上記第１冷凍機１の貯留室１４と上記凍結手段Ｂの凍結室３を連結する上記管路３２と、上記第２冷凍機２の貯留室２４と上記管路３２を介して上記凍結手段Ｂの凍結室３を連結する管路３４で構成される。なお、上記管路３２に設けられた流量調整弁３７と上記管路３４に設けられた流量調整弁３８は、後述する供給量調整手段Ｄの構成部材の一つとなる。
【００４８】
「凍結手段Ｂ」
上記凍結手段Ｂは、所要容積をもつ凍結室３内に、凍結処理用ブライン５３が所要量貯留された横長の凍結槽４と、該凍結槽４内の凍結処理用ブライン５３中に浸漬状態で設けられて被冷凍物５０を上記凍結槽４の一端４ａ側から他端４ｂ側へ向けて移送する浸漬移送コンベア７を配置して構成される。また、上記浸漬移送コンベア７の前段側には被冷凍物５０を上記浸漬移送コンベア７側に搬入する搬入コンベア６が、後段側には上記浸漬移送コンベア７側から上記被冷凍物５０を搬出する搬出コンベア８が備えられている。さらに、上記凍結槽４の上部で、凍結処理用ブライン５３の液面直下位置には、上記浸漬移送コンベア７で移送される被冷凍物５０の浮上を阻止して凍結を促進させる浮上阻止板９が配置されている。
【００４９】
なお、上記凍結処理用ブライン５３の温度は、被冷凍物５０の種類とか大きさ等の条件によって、該被冷凍物５０を良好状態で凍結させるに最適な温度（最適凍結温度）に設定されるが、この実施形態ではこの最適凍結温度を「−３５℃」に設定している。
【００５０】
また、上記冷却ブライン生成手段Ａの上記管路３２は、上記凍結槽４の他端４ｂ寄り位置に開口され、ここから上記凍結槽４内に冷却ブライン５１，５２が供給される。一方、上記凍結槽４の一端４ａ寄りの底部には、凍結処理用ブライン５３の排出位置となる管路３６が設けられている。そして、この管路３６にはブライン貯留タンク５が取り付けられ、該ブライン貯留タンク５内の凍結処理用ブライン５３はポンプ４１により管路３１を介して上記冷却ブライン生成手段Ａの第１冷凍機１の熱交換室１１側に送給されるようになっている。
【００５１】
「供給量調整手段Ｄ」
上記供給量調整手段Ｄは、上述のように、上記冷却ブライン供給手段Ｃによる冷却ブライン５１，５２の上記凍結槽４への供給量を調整し、これによって上記凍結槽４内の凍結処理用ブライン５３の温度調整を行うものであって、上記冷却ブライン生成手段Ａの第１冷凍機１に設けられた温度センサ３９及び上記第２冷凍機２に設けられた温度センサ４０と、上記冷却ブライン供給手段Ｃの管路３２に設けられた流量調整弁３７及び上記管路３４に設けられた流量調整弁３８と、上記凍結手段Ｂの上記凍結槽４に設けられた温度センサ４５、及び制御装置２９を備えて構成される。
【００５２】
上記制御装置２９では、常時、上記冷却ブライン生成手段Ａ側の各温度センサ３９，４０と、上記凍結手段Ｂ側の上記温度センサ４５においてそれぞれ検出される温度信号を受けて、例えば、上記凍結槽４内の凍結処理用ブライン５３の温度が、予め設定した被冷凍物５０の最適凍結温度（例えば、−３５℃）から所定温度以上に上昇したとき、上記温度センサ３９で検出される温度をもつ上記第１冷凍機１側の冷却ブライン５１と、上記温度センサ４０で検出される温度をもつ上記第２冷凍機２側の冷却ブライン５２とを、所定割合で混合してこれを上記管路３２から上記凍結槽４内の凍結処理用ブライン５３に供給し、該凍結処理用ブライン５３の温度を上記最適凍結温度まで低下させる。これによって、上記凍結槽４内の凍結処理用ブライン５３は、常時被冷凍物５０の凍結に最適な温度に維持されることになる。
【００５３】
なお、上記冷却ブライン生成手段Ａの第１冷凍機１で生成される冷却ブライン５１は、該第１冷凍機１が２元冷凍サイクルで構成され、高温側サイクルと低温側サイクルそれぞれの一次冷媒の種類を選択することで二次冷媒を所定温度（この実施形態では−５０℃）とすべく制御されるが、例えば、冷却ブライン５１は上記貯留室１４内での貯留時間等によって温度変化するため、上記温度センサ３９で温度測定してその温度情報を用いることで上記供給量調整手段Ｄにおける供給量調整の精度を担保するものである。この点は、上記第２冷凍機２側において上記温度センサ４０で冷却ブライン５２の温度測定を行う場合も同様である。
【００５４】
「余熱除去手段Ｅ」
上記余熱除去手段Ｅは、上記凍結手段Ｂへの搬入に先立って、上記被冷凍物５０の余熱を除去し、該凍結手段Ｂでの凍結作用の効率化を図るものであって、この実施形態では、上記凍結室３の前段側に、上記凍結槽４の一端４ａ寄りの一部と上記搬入コンベア６の一部を覆うようにして余熱除去室１０を設け、上記凍結室３にブロア４３を備えた管路３５の一端を開口させるとともに、該管路３５の他端を上記余熱除去室１０内に配置し、且つその先端ノズル４４を取り付ける。そして、上記管路３５を通して上記凍結室３内の冷気を上記余熱除去室１０側に導入し、これを上記ノズル４４から噴出させるとともに、その噴流を上記搬入コンベア６によって移送されてくる被冷凍物５０に吹き付けることでこれを冷却し、その余熱を除去するようにしている。
【００５５】
なお、この余熱除去手段Ｅは、係る構成に限られるものではなく、例えば、上記冷却ブライン生成手段Ａで生成される冷却ブライン５１，５２を管路によって上記余熱除去室１０側へ導入し、これをノズルによって噴流として噴出させて上記被冷凍物５０を冷却し、その余熱を除去することもできる。
【００５６】
「急速冷凍装置Ｚの動作説明等」
以上のように構成された急速冷凍装置Ｚは以下のように動作する。
【００５７】
上記凍結手段Ｂの上記凍結槽４には、最適凍結温度（約−３５℃）に温度設定された凍結処理用ブライン５３が所要量投入されている。この凍結槽４の凍結処理用ブライン５３内に、上記搬入コンベア６によって移送される被冷凍物５０が、余熱除去手段Ｅにおいて余熱が除去された状態で、順次浸漬される。そして、この被冷凍物５０は、上記浸漬移送コンベア７によって該凍結槽４の一端４ａ側から他端４ｂ側へ移動される間に、該凍結処理用ブライン５３によって冷却されて凍結する。凍結された被冷凍物５０は、上記搬出コンベア８によって次工程へ搬出される。
【００５８】
一方、上記凍結槽４内の凍結処理用ブライン５３は、上記ブライン貯留タンク５を介して上記冷却ブライン生成手段Aの第１冷凍機１の熱交換室１１側へ導入され、ここで「約−５０℃」の固体粒子を含むシャーベット状の冷却ブライン５１とされ、その一部は貯留室１４内に貯留されるが、他の一部はさらに上記第２冷凍機２の熱交換室２１側へ導入され、ここで「約−７０℃」の固体粒子を含むシャーベット状の冷却ブライン５２とされ、貯留室２４内に貯留される。
【００５９】
上記凍結槽４における凍結処理の進行に伴って、その凍結処理用ブライン５３は、例えば、被冷凍物５０側からの吸熱によって次第に温度が上昇し、これが上記最適凍結温度以上に達すると、上記供給量調整手段Ｄが作動し、該凍結処理用ブライン５３の最適凍結温度への復帰操作が開始される。即ち、上記制御装置２９において、上記第１冷凍機１の冷却ブライン５１の温度と上記第２冷凍機２の冷却ブライン５２の温度及び上記凍結槽４内の凍結処理用ブライン５３の温度を受けて、該凍結処理用ブライン５３の温度を上記最適凍結温度「−３５℃」に復帰させるべく、「−５０℃」の冷却ブライン５１と「−７０℃」の冷却ブライン５２の混合割合を算出し、この算出割合に基いて上記冷却ブライン５１と冷却ブライン５２を混合させ、これを上記凍結槽４の他端４ｂ側に供給する。すると、該凍結槽４内の凍結処理用ブライン５３は、新たに供給される冷却ブライン５１，５２によってその温度が下げられ、上記最適凍結温度「−３５℃」に復帰され、これによって上記被冷凍物５０の最適状態での凍結処理が継続されるものである。
【００６０】
このように構成され、且つ動作する上記急速冷凍装置Ｚにおいては、以下のような特有の作用効果が得られる。
【００６１】
（１）この急速冷凍装置Ｚでは、上記凍結槽４に貯留された凍結処理用ブライン５３内に被冷凍物５０を浸漬させて該被冷凍物５０を急速に凍結させるに際し、固体粒子を含むシャーベット状の２種類の温度の異なる冷却ブライン５１，５２を用意し、これら２種類の冷却ブライン５１，５２を適宜量ずつ上記凍結槽４内の凍結処理用ブライン５３に供給するようにしているので、該凍結処理用ブライン５３の温度を常時略一定に精度良く保持することができ、この結果、凍結処理用ブライン５３への浸漬によって凍結される被冷凍物５０は、その凍結処理が略一定温度の下で急速行われることから、氷結晶が小さくなり、凍結に伴う細胞破壊が可及的に防止されるなど、その凍結品質が向上することになる。
【００６２】
（２）被冷凍物５０を略一定温度の凍結処理用ブライン５３によって凍結させることから、例えば、凍結処理用ブライン５３が凍結処理の進行に伴って昇温変化する場合に比して、凍結時間の短縮化が促進され、延いては、凍結コストの低減が図れる。
【００６３】
（３）上記凍結処理用ブライン５３に供給される２種類の温度の異なる冷却ブライン５１，５２は、共に固体粒子を含むシャーベット状とされていることから、これら各冷却ブライン５１，５２は上記凍結処理用ブライン５３への供給前においては、固体粒子の溶解潜熱によって所定温度を維持し易い。このため、これら２種類の温度の異なる冷却ブライン５１，５２の供給による上記凍結処理用ブライン５３の温度調整の精度が高められ、その結果、被冷凍物５０の凍結品質の向上効果がさらに促進される。
【００６４】
（４）上記凍結槽４の他端４ｂ寄り位置に上記冷却ブライン５１，５２の供給位置を設定するとともに、該凍結槽４の一端４ａ寄りに該凍結槽４内の凍結処理用ブライン５３の排出位置（管路３６）を設けることで、該凍結槽４内の凍結処理用ブライン５３に、該凍結槽４の他端４ｂ側から一端４ａ側へ向かう流れを発生させているので、上記凍結槽４内の凍結処理用ブライン５３には、その流れ方向の上流側（上記凍結槽４の他端４ｂ側）から流れ方向下流側（上記凍結槽４の一端４ａ側）に向かって温度が次第に高くなるような温度勾配が生じることになる。
【００６５】
一方、上記凍結槽４内の凍結処理用ブライン５３に浸漬される上記被冷凍物５０は、該凍結槽４の一端４ａ側から他端４ｂ側へ向けて移動される。即ち、凍結処理用ブライン５３の流れに対向する方向へ移動される。
【００６６】
このように、上記凍結処理用ブライン５３の流れ方向と上記被冷凍物５０の移動方向が対向することで、凍結処理用ブライン５３の温度勾配と被冷凍物５０の温度変化状態が対応し、該被冷凍物５０はその温度が高い状態では比較的高温側の凍結処理用ブライン５３によって冷却が開始されるとともに、その温度変化（降温変化）に伴って次第に低温側の凍結処理用ブライン５３によって冷却されて凍結されることから、熱損失の少ない（即ち、凍結処理用ブライン５３の温度上昇の少ない）効率的な凍結作用が実現され、延いては冷凍コストの低廉化が図れることになる。
【００６７】
（５）上記被冷凍物５０の余熱を、上記凍結処理用ブライン５３への浸漬に先立って除去するようにしているので、凍結処理用ブライン５３での熱損失が少なく（即ち、凍結処理用ブライン５３の温度上昇が少なく）効率的な凍結作用が実現される。また、被冷凍物が余熱をもったまま凍結処理用ブライン５３に浸漬される場合に比して、凍結時間の短縮化が促進され、冷凍コストの低減が図れる。
【００６８】
（６）上記冷却ブライン生成手段Ａを、高温側の第１冷凍機１と低温側の第２冷凍機２を備え、上記第１冷凍機１では二次冷媒としての凍結処理用ブライン５３を冷却して高温側の冷却ブライン５１を生成し、上記第２冷凍機２では上記第１冷凍機１から供給される高温側の冷却ブライン５１を二次冷媒としてこれを冷却して低温側の冷却ブライン５２を生成するように構成しているので、大きな温度差をもつ２種類の冷却ブライン５１，５２を得ることができ、その結果、これら２種類の冷却ブライン５１，５２を適宜割合で上記凍結処理用ブライン５３に供給して該凍結処理用ブライン５３の温度を調整する場合において、温度調整幅がより大きくとれ、被冷凍物５０の種類形状等に応じた最適な凍結状態を得ることが可能となる。
【００６９】
（７）高温側の第１冷凍機１の熱交換器１２，１３と低温側の第２冷凍機２の熱交換器２２，２３を、共に傾斜配置されたパネル熱交換器で構成し、該熱交換器１２，１３、同２２，２３の上面に二次冷媒としての凍結処理用ブライン５３あるいは冷却ブライン５１を流すようにしているので、該各熱交換器１２，１３、同２２，２３での冷却効率が高く、より短時間で所要温度の冷却ブライン５１，５２を得ることができるとともに、該各熱交換器１２，１３、同２２，２３の上面における冷却状態、例えば、シャーベット状のブラインにおける固体粒子の生成状態等を目視にて確認することができる。
【産業上の利用可能性】
【００７０】
本願発明に係る急速冷凍方法及び急速冷凍装置は、食品等の被冷凍物の急速冷凍分野において利用されるものである。
【符号の説明】
【００７１】
１  ・・第１冷凍機
２  ・・第２冷凍機
３  ・・凍結室
４  ・・凍結槽
５  ・・ブライン貯留タンク
６  ・・搬入コンベア
７  ・・浸漬移送コンベア
８  ・・搬出コンベア
９  ・・浮上阻止板
１０  ・・余熱除去室
１１  ・・熱交換室
１２  ・・熱交換器
１３  ・・熱交換器
１４  ・・貯留室
２１  ・・熱交換室
２２  ・・熱交換器
２３  ・・熱交換器
２４  ・・貯留室
５０  ・・被冷凍物
５１  ・・冷却ブライン
５２  ・・冷却ブライン
５３  ・・凍結処理用ブライン
Ａ  ・・冷却ブライン生成手段
Ｂ  ・・凍結手段
Ｃ  ・・冷却ブライン供給手段
Ｄ  ・・供給量調整手段
Ｅ  ・・余熱除去手段
Ｚ  ・・急速冷凍装置